(57)【要約】  本発明は、二次電池を充電する必要があるときにのみ、二次電池に電力を供給することができる電子機器を提供する。  本発明の携帯電話は、電力を供給する方式が異なる少なくとも２つの外部電源装置１２ｎに別々に接続され、外部電源装置１２ｎからの電力を受け付ける少なくとも２つの外部端子１１ｎと、外部端子１１ｎのいずれか１つに接続され、外部端子１１ｎへの給電を利用して充電する二次電池１９と、二次電池１９に、外部端子１１ｎのいずれか１つを切り替えて接続するスイッチ１７ｎと、外部端子１１ｎに接続された外部電源装置ｎを検出し、検出した外部電源装置ｎに割り当てられた、当該外部電源装置１２ｎによる電力供給の可否に応じて、スイッチ１７ｎによる切り替えを制御する制御部１５と、を備えるものである。
2008044297.tif 000002
【特許請求の範囲】
【請求項１】
電力を供給する方式が異なる少なくとも２つの外部電源装置に別々に接続され、前記外部電源装置からの電力を受け付ける少なくとも２つの外部電源接続部と、
前記外部電源接続部のいずれか１つに接続され、前記外部電源接続部への給電を利用して充電する二次電池と、
前記二次電池に、前記外部電源接続部のいずれか１つを切り替えて接続する切替部と、  前記外部電源接続部に接続された前記外部電源装置を検出し、検出した前記外部電源装置に割り当てられた、当該外部電源装置による電力供給の可否に応じて、前記切替部による切り替えを制御する切替制御部と、
を備える電子機器。
【請求項２】
電力を供給する方式が異なる少なくとも２つの外部電源装置に別々に接続され、前記外部電源装置からの電力を受け付ける少なくとも２つの外部電源接続部と、
前記外部電源接続部のいずれか１つに接続され、前記外部電源接続部への給電を利用して充電する二次電池と、
前記二次電池に、前記外部電源接続部のいずれか１つを切り替えて接続する切替部と、  前記外部電源接続部に接続された前記外部電源装置を検出し、検出した前記外部電源装置に割り当てられた優先順位に応じて、前記切替部による切り替えを制御する切替制御部と、
を備える電子機器。
【請求項３】
請求項２記載の電子機器であって、
前記切替制御部は、検出した前記外部電源装置のうちの、割り当てられた優先順位が最も高いものを、前記二次電池に接続する、
電子機器。
【請求項４】
請求項２または３記載の電子機器であって、
前記外部電源接続部は、少なくとも第１の外部電源接続部と第２の外部電源接続部とを含み、
前記第１の外部電源接続部は、少なくとも２つの前記外部電源装置のうちの第１の外部電源装置に接続され、
前記第２の外部電源接続部は、少なくとも２つの前記外部電源装置のうちの第２の外部電源装置に接続され、
前記切替制御部は、前記第１の外部電源接続部を前記二次電池に接続した後に、前記第１の外部電源装置よりも割り当てられた優先順位が高い、前記第２の外部電源装置が前記第２の外部電源接続部に接続されたことを検出した場合、前記第２の外部電源接続部を前記二次電池に切り替えて接続する、
電子機器。
【請求項５】
請求項２または３記載の電子機器であって、
前記外部電源接続部は、少なくとも第１の外部電源接続部と第２の外部電源接続部とを含み、
前記第１の外部電源接続部は、少なくとも２つの前記外部電源装置のうちの第１の外部電源装置に接続され、
前記第２の外部電源接続部は、少なくとも２つの前記外部電源装置のうちの第２の外部電源装置に接続され、
前記切替制御部は、前記第１の外部電源接続部を前記二次電池に接続した後に、前記第１の外部電源装置よりも割り当てられた優先順位が低い、前記第２の外部電源装置が前記第２の外部電源接続部に接続されたことを検出した場合、前記第１の外部電源接続部を前記二次電池に継続して接続する、
電子機器。
【請求項６】
請求項１記載の電子機器であって、
入力操作を受け付ける操作部と、
を備え、
前記操作部は、少なくとも２つの前記外部電源装置に割り当てられるべき前記電力供給の可否を設定する入力操作を受け付け、
前記切替制御部は、前記操作部により受け付けた、前記外部電源装置に割り当てられた、当該外部電源装置による前記電力供給の可否に応じて、前記切替部による切り替えを制御する、
を備える電子機器。
【請求項７】
請求項２から５のいずれか１項に記載の電子機器であって、
入力操作を受け付ける操作部と、
を備え、
前記操作部は、少なくとも２つの前記外部電源装置に割り当てられるべき前記優先順位を設定する入力操作を受け付け、
前記切替制御部は、前記操作部により受け付けた、前記外部電源装置に割り当てられた前記優先順位に応じて、前記切替部による切り替えを制御する、
を備える電子機器。
【請求項８】
請求項６記載の電子機器であって、
各種情報を記憶する記憶部を備え、
前記記憶部は、前記操作部により受け付けた、前記外部電源装置に割り当てられた前記電力供給の可否を記憶し、
前記切替制御部は、前記記憶部に記憶した、前記外部電源装置に割り当てられた、当該外部電源装置による前記電力供給の可否に応じて、前記切替部による切り替えを制御する、
を備える電子機器。
【請求項９】
請求項７記載の電子機器であって、
各種情報を記憶する記憶部を備え、
前記記憶部は、前記操作部により受け付けた、前記外部電源装置に割り当てられた前記優先順位を記憶し、
前記切替制御部は、前記記憶部に記憶した、前記外部電源装置に割り当てられた前記優先順位に応じて、前記切替部による切り替えを制御する、
を備える電子機器。
【請求項１０】
請求項２から５のいずれか１項に記載の電子機器であって、
前記切替制御部に切り替え制御を行わせるために必要な第１の電力よりも小さい第２の電力にて駆動する予備切替制御部を備え、
前記予備切替制御部は、前記外部電源接続部に接続された前記外部電源装置を検出し、検出した前記外部電源装置に固定的に割り当てられた優先順位に応じて、前記切替部による切り替えを制御する、
電子機器。
【請求項１１】
請求項１から１０のいずれか１項に記載の電子機器であって、
少なくとも２つの前記外部電源接続部のうちのいずれか１つは、前記外部電源装置から供給される電力をＵＳＢ（Universal Serial Bus）を利用して受け付けるＵＳＢ端子である、
電子機器。
【請求項１２】
請求項１から１１のいずれか１項に記載の電子機器であって、
少なくとも２つの前記外部電源接続部のうちのいずれか１つは、ＡＣ電源としての前記外部電源装置から供給される電力を受け付けるＡＣ電源端子である、
電子機器。
【請求項１３】
請求項１から１２のいずれか１項に記載の電子機器であって、
少なくとも２つの前記外部電源接続部のうちのいずれか１つは、前記外部電源装置から電磁誘導方式によって伝送される電力を受信する受信コイルである、
電子機器。
【請求項１４】
電子機器に備わる二次電池に、電力を供給する方式が異なる少なくとも２つの外部電源装置のうちのいずれか１つから電力を供給する充電制御方法であって、
前記電子機器に接続された前記外部電源装置を検出し、
検出した前記外部電源装置に割り当てられた、当該外部電源装置による電力供給の可否を参照し、
前記電力供給の可が割り当てられた前記外部電源装置から、前記二次電池に電力を供給する、
充電制御方法。
【請求項１５】
電子機器に備わる二次電池に、電力を供給する方式が異なる少なくとも２つの外部電源装置のうちのいずれか１つから電力を供給する充電制御方法であって、
前記電子機器に接続された前記外部電源装置を検出し、
検出した前記外部電源装置に割り当てられた優先順位を参照し、
割り当てられた前記優先順位が高い前記外部電源装置から、前記二次電池に電力を供給する、
充電制御方法。
【発明の詳細な説明】
【技術分野】
【０００１】
本発明は、複数の外部電源装置、例えばＡＣ電源装置、無接点充電器、またはＵＳＢ（Universal Serial Bus）充電器など、からの電力供給が可能な電子機器に関し、特に、複数の外部電源装置からの供給電力を電子機器に搭載された二次電池に選択的に供給して、その二次電池を充電する電子機器、および二次電池を充電するための電力を供給する外部電源装置を切り替える充電制御方法に関する。
【背景技術】
【０００２】
普及が進む携帯情報端末には、出力電圧が低下しても充電することにより所定の出力電圧を再度供給することができる二次電池が必須である。近年では、ＡＣ電源装置から供給される電力によって二次電池を充電する機構を備えた携帯情報端末以外に、無接点充電器あるいはＵＳＢ充電器などの各種充電器から供給される電力によって二次電池を充電する機構を備えた携帯情報端末が提案されている（例えば、特許文献１から特許文献４を参照）。
【特許文献１】特開２００５−１３７１７３号公報
【特許文献２】特開２００５−００６４４１号公報
【特許文献３】特開２００５−０１２８８９号公報
【特許文献４】特開２００４−２８７８８７号公報
【発明の開示】
【発明が解決しようとする課題】
【０００３】
携帯情報端末の中には、二次電池を充電する機構を複数の外部電源装置毎に備え、複数の外部電源装置の中のいずれか１つから供給される電力によって二次電池を充電するものがある。【０００４】
しかしながら、このような機構を備えた携帯情報端末は、端末利用者が二次電池を充電することを意図していないときにも、二次電池の充電を自動的に開始してしまうことがある。ＵＳＢ充電器としての機能を備えたコンピュータから供給される電力によって二次電池を充電する機構を携帯情報端末が備えている場合を例に挙げる。このとき、端末利用者は、コンピュータと携帯情報端末との間でＵＳＢを介した通信を行うことのみを意図してコンピュータと携帯情報端末とを接続したつもりが、コンピュータが携帯情報端末に備わる二次電池への電力供給処理を自動的に開始してしまい、端末利用者にとって不要な処理をコンピュータにさせてしまうことになる。【０００５】
さらに、このような機構を備えた携帯情報端末は、必ずしも効果的に二次電池を充電しているとは限らない。ＡＣ電源装置と、ＵＳＢ充電器としての機能を備えたコンピュータと、からの電力によって二次電池を充電する機構を携帯情報端末が備えている場合を例に挙げる。ＵＳＢを介して携帯情報端末に接続されたコンピュータは、携帯情報端末に備わる二次電池への電力供給処理を開始するが、コンピュータに搭載された二次電池（携帯情報端末に備わる二次電池と区別するために、以下、コンピュータに備わる二次電池をホスト用二次電池と称し、一方、携帯情報端末に備わる二次電池をデバイス用二次電池と称する）がコンピュータ用のＡＣ電源装置に接続されておらず、充電が継続されていない期間中にも、携帯情報端末に備わるデバイス用二次電池への電力供給処理を開始してしまう。このとき、コンピュータはホスト用二次電池に蓄えられていた電力をデバイス用二次電池に分け与えることにより、デバイス用二次電池を充電することになるが、携帯情報端末は、ホスト用二次電池がコンピュータ用のＡＣ電源装置による充電が継続されていない期間には、携帯情報端末用のＡＣ電源装置からの電力によってデバイス用二次電池を充電するように切り替えることが好ましい。このように、従来の携帯情報端末では、最適な外部電源装置により携帯情報端末に備わる二次電池に電力を供給することはできなかった。【０００６】
本発明は、上記事情に鑑みてなされたもので、二次電池を充電する必要があるときにのみ、二次電池に電力を供給することができる電子機器、および充電制御方法を提供することを目的とする。【０００７】
また、本発明は、複数の外部電源装置のうちの最適な外部電源装置により二次電池を充電することができる電子機器、および充電制御方法を提供することを目的とする。
【課題を解決するための手段】
【０００８】
本発明の電子機器は、電力を供給する方式が異なる少なくとも２つの外部電源装置に別々に接続され、前記外部電源装置からの電力を受け付ける少なくとも２つの外部電源接続部と、前記外部電源接続部のいずれか１つに接続され、前記外部電源接続部への給電を利用して充電する二次電池と、前記二次電池に、前記外部電源接続部のいずれか１つを切り替えて接続する切替部と、前記外部電源接続部に接続された前記外部電源装置を検出し、検出した前記外部電源装置に割り当てられた、当該外部電源装置による電力供給の可否に応じて、前記切替部による切り替えを制御する切替制御部と、を備えるものである。【０００９】
本発明の充電制御方法は、電子機器に備わる二次電池に、電力を供給する方式が異なる少なくとも２つの外部電源装置のうちのいずれか１つから電力を供給する充電制御方法であって、前記電子機器に接続された前記外部電源装置を検出し、検出した前記外部電源装置に割り当てられた、当該外部電源装置による電力供給の可否を参照し、前記電力供給の可が割り当てられた前記外部電源装置から、前記二次電池に電力を供給する、ものである。【００１０】
この構成により、外部電源装置毎に設定された、当該電子機器に備わる二次電池をその外部電源装置によって充電することを許可するか否かに応じて、その二次電池に電力を供給する外部電源装置を決定するため、二次電池を充電するために電力を供給することが利用者に要求されていない外部電源装置によって、不要に電力が供給されることを防ぐことができる。【００１１】
本発明の電子機器は、電力を供給する方式が異なる少なくとも２つの外部電源装置に別々に接続され、前記外部電源装置からの電力を受け付ける少なくとも２つの外部電源接続部と、前記外部電源接続部のいずれか１つに接続され、前記外部電源接続部への給電を利用して充電する二次電池と、前記二次電池に、前記外部電源接続部のいずれか１つを切り替えて接続する切替部と、前記外部電源接続部に接続された前記外部電源装置を検出し、検出した前記外部電源装置に割り当てられた優先順位に応じて、前記切替部による切り替えを制御する切替制御部と、を備えるものである。【００１２】
本発明の充電制御方法は、電子機器に備わる二次電池に、電力を供給する方式が異なる少なくとも２つの外部電源装置のうちのいずれか１つから電力を供給する充電制御方法であって、前記電子機器に接続された前記外部電源装置を検出し、検出した前記外部電源装置に割り当てられた優先順位を参照し、割り当てられた前記優先順位が高い前記外部電源装置から、前記二次電池に電力を供給する、ものである。【００１３】
また、本発明の電子機器は、前記切替制御部が、検出した前記外部電源装置のうちの、割り当てられた優先順位が最も高いものを、前記二次電池に接続する、ものを含む。【００１４】
この構成により、外部電源装置毎に設定された、二次電池に電力を供給すべき順位を定めた優先順位に応じて、その二次電池に電力を供給する外部電源装置を決定するため、最適な外部電源装置により電子機器に備わる二次電池を充電することができる。【００１５】
また、本発明の電子機器は、前記外部電源接続部が、少なくとも第１の外部電源接続部と第２の外部電源接続部とを含み、前記第１の外部電源接続部が、少なくとも２つの前記外部電源装置のうちの第１の外部電源装置に接続され、前記第２の外部電源接続部が、少なくとも２つの前記外部電源装置のうちの第２の外部電源装置に接続され、前記切替制御部が、前記第１の外部電源接続部を前記二次電池に接続した後に、前記第１の外部電源装置よりも割り当てられた優先順位が高い、前記第２の外部電源装置が前記第２の外部電源接続部に接続されたことを検出した場合、前記第２の外部電源接続部を前記二次電池に切り替えて接続する、ものを含む。【００１６】
また、本発明の電子機器は、前記外部電源接続部が、少なくとも第１の外部電源接続部と第２の外部電源接続部とを含み、前記第１の外部電源接続部が、少なくとも２つの前記外部電源装置のうちの第１の外部電源装置に接続され、前記第２の外部電源接続部が、少なくとも２つの前記外部電源装置のうちの第２の外部電源装置に接続され、前記切替制御部が、前記第１の外部電源接続部を前記二次電池に接続した後に、前記第１の外部電源装置よりも割り当てられた優先順位が低い、前記第２の外部電源装置が前記第２の外部電源接続部に接続されたことを検出した場合、前記第１の外部電源接続部を前記二次電池に継続して接続する、ものを含む。【００１７】
この構成により、新たに接続された外部電源装置が電子機器に備わる二次電池の充電に好ましい場合、その外部電源装置に切り替えて充電を開始するため、いつでも最適な外部電源装置により電子機器に備わる二次電池を充電することができる【００１８】
また、本発明の電子機器は、入力操作を受け付ける操作部と、を備え、前記操作部が、少なくとも２つの前記外部電源装置に割り当てられるべき前記電力供給の可否を設定する入力操作を受け付け、前記切替制御部が、前記操作部により受け付けた、前記外部電源装置に割り当てられた、当該外部電源装置による前記電力供給の可否に応じて、前記切替部による切り替えを制御する、ものを含む。【００１９】
また、本発明の電子機器は、入力操作を受け付ける操作部と、を備え、前記操作部が、少なくとも２つの前記外部電源装置に割り当てられるべき前記優先順位を設定する入力操作を受け付け、前記切替制御部が、前記操作部により受け付けた、前記外部電源装置に割り当てられた前記優先順位に応じて、前記切替部による切り替えを制御する、ものを含む。【００２０】
この構成により、電子機器利用者が充電するための外部電源として意図している外部電源装置によって、確実に充電をすることができる。【００２１】
また、本発明の電子機器は、各種情報を記憶する記憶部を備え、前記記憶部が、前記操作部により受け付けた、前記外部電源装置に割り当てられた前記電力供給の可否を記憶し、前記切替制御部が、前記記憶部に記憶した、前記外部電源装置に割り当てられた、当該外部電源装置による前記電力供給の可否に応じて、前記切替部による切り替えを制御する、ものを含む。【００２２】
また、本発明の電子機器は、各種情報を記憶する記憶部を備え、前記記憶部が、前記操作部により受け付けた、前記外部電源装置に割り当てられた前記優先順位を記憶し、前記切替制御部が、前記記憶部に記憶した、前記外部電源装置に割り当てられた前記優先順位に応じて、前記切替部による切り替えを制御する、ものを含む。【００２３】
この構成により、電子機器利用者が充電するための外部電源として意図している外部電源装置を一度設定しておけば、自動的に最適な外部電源装置によって充電をすることができる。【００２４】
また、本発明の電子機器は、前記切替制御部に切り替え制御を行わせるために必要な第１の電力よりも小さい第２の電力にて駆動する予備切替制御部を備え、前記予備切替制御部は、前記外部電源接続部に接続された前記外部電源装置を検出し、検出した前記外部電源装置に固定的に割り当てられた優先順位に応じて、前記切替部による切り替えを制御する、ものを含む。【００２５】
この構成により、切替制御部が起動していない状態にある場合でも、電力の供給が可能であることを検出した外部電源装置のうち、最も優先順位の高い外部電源装置によって、二次電池に電力を供給することができる。【００２６】
また、本発明の電子機器は、少なくとも２つの前記外部電源接続部のうちのいずれか１つが、前記外部電源装置から供給される電力をＵＳＢ（Universal Serial Bus）を利用して受け付けるＵＳＢ端子である、ものを含む。【００２７】
また、本発明の電子機器は、少なくとも２つの前記外部電源接続部のうちのいずれか１つが、ＡＣ電源としての前記外部電源装置から供給される電力を受け付けるＡＣ電源端子である、ものを含む。【００２８】
また、本発明の電子機器は、少なくとも２つの前記外部電源接続部のうちのいずれか１つが、前記外部電源装置から電磁誘導方式によって伝送される電力を受信する受信コイルである、ものを含む。【００２９】
この構成により、本発明の電子機器を充電する外部電源装置として、既存の様々な外部電源を適用することができる。
【発明の効果】
【００３０】
本発明の電子機器および充電制御方法によれば、二次電池を充電する必要があるときにのみ、二次電池に電力を供給することができる。また、複数の外部電源装置のうちの最適な外部電源装置により二次電池を充電することができる。
【図面の簡単な説明】
【００３１】
【図１】本発明の実施の形態の携帯電話による充電処理を説明する模式図
【図２】本発明の第１実施形態の携帯電話の機能ブロック図
【図３】本発明の第１実施形態における記憶部がデータとして記憶する充電用設定内容の概念図
【図４】本発明の第１実施形態の携帯電話における予備充電設定部の回路例の図
【図５】本発明の第１実施形態の携帯電話による外部電源装置の切替処理の流れを表すフローチャート
【図６】本発明の第１実施形態の携帯電話によるＵＳＢホストによる充電処理の流れを表すフローチャート
【図７】本発明の第１実施形態の携帯電話による、充電時に表示される表示例。図７（ａ）本発明の第１実施形態の携帯電話による充電時に表示される表示例１、図７（ｂ）本発明の第１実施形態の携帯電話による充電時に表示される表示例２、図７（ｃ）本発明の第１実施形態の携帯電話による充電時に表示される表示例３
【図８】本発明の第２実施形態の携帯電話のディスプレイに表示される表示例。図８（ａ）従来の携帯電話によるＵＳＢ通信時のモード設定を促す表示例、図８（ｂ）本発明の第２実施形態の携帯電話によるＵＳＢ通信時のモード設定を促す表示例１、図８（ｃ）本発明の第２実施形態の携帯電話によるＵＳＢ通信時のモード設定を促す表示例２、図８（ｄ）本発明の第２実施形態の携帯電話による外部電源装置の優先順位設定を促す表示例
【符号の説明】
【００３２】
１  携帯電話
２  ＡＣ充電用コネクタ２
３  無接点充電台３
４  デバイス側コネクタ
５  ホスト側コネクタ
１１１〜１１Ｎ  外部端子
１２  ＵＳＢ端子
１２１〜１２Ｎ  外部電源装置
１３０〜１３Ｎ  電源検出部
１４  ＵＳＢインタフェース部
１５  制御部
１６  記憶部
１７０〜１７Ｎ  スイッチ
１８  充電回路部
１９  二次電池
２０  予備充電設定部
２１  表示部
２２  入力部
２１０〜２１Ｎ  入力端子
２２０〜２２Ｎ  出力端子
２３１〜２３Ｎ  論理反転回路
２４１〜２４Ｎ  論理積回路
６１、６３  文言
６２  マーク
７１  チェックボックス
７２  数値を入力すべき欄
７３  プルダウンメニュー
【発明を実施するための最良の形態】
【００３３】
以下、本発明の実施の形態の電子機器について説明する。本発明の電子機器の一例として携帯電話を挙げて以後説明するが、本発明の電子機器を携帯電話に限定するものではなく、二次電池を充電する機構を複数の外部電源装置毎に備え、複数の外部電源装置の中のいずれかから供給される電力によって二次電池を充電する電子機器全般がその対象に含まれる。【００３４】
まず、本発明の実施の形態の携帯電話の概略を説明する。図１に、本発明の実施の形態の携帯電話による充電処理を説明する模式図を示す。最近の携帯情報端末の中には、当該端末に搭載された二次電池を充電する機構を複数の外部電源装置毎に備え、複数の外部電源装置の中のいずれか１つから供給される電力によって二次電池を充電するものがある。図１に示す本発明の実施の形態の携帯電話１は、ＡＣ電源、無接点充電装置あるいはＵＳＢのホスト（デバイスが接続される端末のことを指す。図１では、デバイスとしての携帯電話１が接続されたラップトップコンピュータがホストに相当する。なお、ＵＳＢケーブルの一端を形成するデバイス側コネクタ４にはデバイスが、他端を形成するホスト側コネクタ５にはホストが、それぞれ接続される）などの外部電源装置から供給される電力によって二次電池を充電する機構を備えており、ＡＣ充電用コネクタ２またはＵＳＢケーブルの一端であるデバイス側コネクタ４に接続され、あるいは無接点充電台３上に配置されて、外部電源装置が接続されたことを検出すると、その外部電源装置のいずれかを選択的に切り替えて二次電池に接続し、接続された外部電源装置から供給される電力を二次電池へ伝送する。【００３５】
本発明の実施の形態の携帯電話１は、複数の外部電源装置が接続されたことを検出した場合、次に説明する処理を行って、その外部電源装置のいずれかを選択的に切り替えて二次電池に接続する。すなわち、本発明の実施の形態の携帯電話１には、各外部電源装置毎に、その外部電源装置による二次電池の充電を許可するか否かを判別する「充電の可否」、および優先的に二次電池に電力を供給すべき順位を定めた「優先順位」によって構成される充電用設定内容が情報として記憶されている。【００３６】
例えば、本発明の実施の形態の携帯電話１は、ＡＣ充電用コネクタ２を介してＡＣ電源に接続されたことを検出した場合、ＡＣ電源充電の「充電の可否」を参照して充電が許可されていると判別すると、ＡＣ電源からの電力供給配線を二次電池に接続し、ＡＣ電源から供給される電力を二次電池へ伝送する。一方、携帯電話１は、ＵＳＢケーブルを介してＵＳＢのホストに接続されたことを検出した場合、ＵＳＢ充電の「充電の可否」を参照して充電が許可されていないと判別すると、ＵＳＢのホストから二次電池を充電する処理を行わない。【００３７】
このように、本発明の実施の形態の携帯電話によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐことができる。【００３８】
また、例えば、本発明の実施の形態の携帯電話１は、無接点充電台３上に配置されていることと、ＵＳＢのホストとに接続されていることを同時期に検出した場合、無接点充電およびＵＳＢ充電それぞれの「優先順位」を参照して無接点充電に定められた優先順位が高いと判定すると、無接点充電台３からの電力供給配線を二次電池に接続して、無接点充電台３から供給される電力を二次電池へ伝送する。また、その後、携帯電話１は、ＡＣ電源に接続されたことを検出した場合、ＡＣ電源、無接点充電およびＵＳＢ充電それぞれの「優先順位」を参照してＡＣ電源充電に定められた優先順位が最も高いと判定すると、ＡＣ電源からの電力供給配線を二次電池に接続して、ＡＣ電源から供給される電力を二次電池へ伝送する。【００３９】
このように、本発明の実施の形態の携帯電話によれば、外部電源装置毎に設定された、二次電池に電力を供給すべき順位を定めた優先順位に応じて、その二次電池に電力を供給する外部電源装置を決定するため、最適な外部電源装置により二次電池を充電することができる。以下、本発明の実施の形態の携帯電話について詳細に説明する。【００４０】
（第１実施形態）
図２に、本発明の第１実施形態の携帯電話の機能ブロック図を示す。本発明の第１実施形態の携帯電話１は、第ｎの外部端子１１ｎ（ｎ＝１、２、…Ｎ）、ＵＳＢ端子１２、第ｎの電源検出部１３ｎ（ｎ＝０、１、２、…Ｎ）、ＵＳＢインタフェース部１４、制御部１５、記憶部１６、第ｎのスイッチ１７ｎ（ｎ＝０、１、２、…Ｎ）、充電回路部１８、二次電池１９、予備充電設定部２０、表示部２１、入力部２２、を含んで構成される。なお、図２において、外部電源装置１２ｎから、第ｎの外部端子１１ｎ、スイッチ１７ｎおよび充電回路部１８を経由して二次電池１９に至る矢印（太線）、および、ＵＳＢホストから、ＵＳＢ端子１２、スイッチ１７０および充電回路部１８を経由して二次電池１９に至る矢印（太線）は、電力の流れを示しており、その他の矢印（細線）は、信号の入出力を示している。【００４１】
第ｎの外部端子１１ｎは、各種外部電源装置１２ｎ（ｎ＝１、２、…Ｎ）からの電力給電配線に接続される端子である。外部電源装置として考えられるＡＣ電源からの電力給電配線に接続される第ｎの外部端子１１ｎは、ＡＣアダプタを接続する端子や、ＡＣアダプタに接続あるいは一体成型された充電器における導電性突起部に導通させるための金属部（接点端子と称されることがある）によって構成される。また、外部電源装置として考えられる無接点充電装置からの電磁誘導による電力伝送を受信する第ｎの外部端子１１ｎは、コイルによって形成される。【００４２】
ＵＳＢ端子１２は、ＵＳＢケーブルの一端を形成するデバイス側コネクタに接続される端子である。【００４３】
第ｎの電源検出部１３ｎは、ＵＳＢホストまたは外部電源装置１２ｎから電力が供給されているか否かを検出する。具体的な検出処理としては、第ｎの電源検出部１３ｎは、外部電源装置１２ｎに備わる電力供給用のコネクタが第ｎの外部端子１１ｎに導通したことを電気的に検出したことを、外部電源装置から電力が供給されているものとして判定する。また、別の検出処理としては、第ｎの電源検出部１３ｎは、第ｎの外部端子１１ｎにおいて計測される電圧が所定の数値以上になったことを検出したことを、外部電源装置から電力が供給されているものとして判定する。特に、第０の電源検出部１３０は、後述するＵＳＢインタフェース部１４がコンフィギュレーション状態に移行したことを検出することも考えられる。そして、第ｎの電源検出部１３ｎは、外部電源装置１２ｎから電力が供給されていると判定した場合には、制御部１５にその旨を表す信号を出力する。【００４４】
ＵＳＢインタフェース部１４は、ＵＳＢ端子１２に接続されたＵＳＢのホストとの間で、ＵＳＢ通信を実行する。ＵＳＢを利用したホスト−デバイス間での通信処理は公知であるため本明細書では詳細に説明しないが、ＵＳＢを利用してホストからデバイスに電力を供給する電力供給処理については本発明に関わるところであるため、以下電力供給処理に関わるＵＳＢ通信について要点を説明する。【００４５】
デバイスとしての携帯電話１は、図１に示すようにＵＳＢケーブルを介してホストであるラップトップコンピュータに接続されると、ＵＳＢのエニュメレーション処理として以下のように状態が遷移する。すなわち、装着状態（Attached）、電力状態（Powered）を経てリセット信号を確認するとデフォルト状態（Default）となり、その後ホストからアドレスを割り当てられるとアドレス状態（Address）となる。続いて、ホスト（ラップトップコンピュータ）は、デバイスをコンフィギュレーション状態（Configured）にするために、デバイスのコンフィギュレーションディスクリプタを読み込みコンフィギュレーション状態に移行が可能なことを確認した後、デバイスをコンフィギュレーション状態とすることによって、ＵＳＢを利用した通信が可能になる。一方、デバイス（携帯電話１）は、ホストにコンフィギュレーションディスクリプタを読み込まれる際に、ＵＳＢデバイスとしてコンフィギュレーションディスクリプタのbm Attributesでバス電源デバイスである事を宣言し、Max Powerとして該デバイスが動作に必要な最大電力量、あるいは電力供給として設定可能な最大電流５００〔ｍＡ〕を宣言する。この処理を経て、デバイス（携帯電話１）は、宣言した最大電力量（あるいは最大電流５００〔ｍＡ〕）を上限とする電力（あるいは電流）をホスト（ラップトップコンピュータ）から消費してよいことになる。【００４６】
制御部１５は、外部電源装置１２ｎから電力が供給されていることを表す信号を第ｎの電源検出部１３ｎから入力すると、記憶部１６に記憶された充電用設定内容を参照して、スイッチ１７ｎの開閉を制御するように構成される。制御部１５および記憶部１６は、近年の携帯電話に搭載されるＣＰＵおよびメモリがその機能を果たす。図３に、本発明の第１実施形態における記憶部がデータとして記憶する充電用設定内容の概念図を示す。記憶部１６は、外部端子毎に、充電の可否および優先順位を記憶している。制御部１５は、例えば、外部電源装置１２１から電力が供給されていることを表す信号を電源検出部１３１から入力すると、記憶部１６に記憶された第１の外部端子１１１の「充電の可否」を参照して充電が許可されていると判別し、スイッチ１７１を閉じて外部電源装置１２１からの電力供給配線を充電回路部１８に接続する。一方、ＵＳＢのホストから電力が供給されていることを表す信号を電源検出部１３０から入力すると、記憶部１６に記憶されたＵＳＢ端子１２の「充電の可否」を参照して充電が許可されていないと判別し、スイッチ１７０を開いた状態を維持してＵＳＢホストからの電力供給配線を充電回路部１８に接続しない。【００４７】
また、制御部１５は、例えば、外部電源装置１２２から電力が供給されていることを表す信号を電源検出部１３２から、さらにＵＳＢのホストから電力が供給されていることを表す信号を電源検出部１３０から、同時期に入力し、第２の外部端子１１２およびＵＳＢ端子１２それぞれの「優先順位」を参照して第２の外部端子に定められた優先順位が高いと判定すると、スイッチ１７２を閉じて外部電源装置１２２からの電力供給配線を充電回路部１８に接続する。また、その後、制御部１５は、外部電源装置１２１から電力が供給されていることを表す信号を電源検出部１３１から入力すると、第１の外部端子１１１、第２の外部端子１１２およびＵＳＢ端子１２それぞれの「優先順位」を参照して第１の外部端子１１１に定められた優先順位が最も高いと判定すると、スイッチ１７１を閉じて外部電源装置１２１からの電力供給配線を充電回路部１８に接続する。【００４８】
なお、制御部１５が記憶部１６に記憶された「充電の可否」を参照してスイッチ１７ｎを切り替える処理と、「優先順位」を参照してスイッチ１７ｎを切り替える処理と、を別々に記載したが、この処理を組み合わせて、電力供給を検出したうちの外部端子の中で、最も高い優先順位が第ｎの外部端子１１ｎに設定されていても、充電が許可されていなければ、スイッチ１７ｎを開いた状態を維持するようにしても構わない。【００４９】
充電回路部１８は、変圧回路、整流回路を備え、外部電源装置１２ｎから伝送される供給電圧を二次電池１９に供給すべき定格電圧（定格電流）に変換して、二次電池に供給する。なお、充電回路部１８は、各スイッチ１７ｎ毎に対応した充電電流値が設定されており、その充電電流値によって二次電池１９に電力を供給する。【００５０】
予備充電設定部２０は、制御部１５が起動していない状態にある場合に、例えば二次電池１９に制御部１５を駆動させることが可能な程度の容量が残っていない場合、携帯電話１が電源オフになっている場合、あるいは携帯電話１が電源オンになって間が無く制御部１５が実行すべきプログラムが起動していない場合などに、第ｎの外部端子１１ｎに接続されている外部電源装置またはＵＳＢホストから供給される低電流（制御部１５が起動しているときに供給される電流値よりも低いという意味で低電流と称している）を利用して、それら外部電源装置またはＵＳＢホストのうちの、予め設定された優先順位（この優先順位は、記憶部１６に記憶された優先順位と同一であっても構わないが、予備充電設定部２０が機械的にスイッチ１７ｎの開閉を切り替える構造を有しているため、その順位は不変である）が最も高い外部電源装置１２ｎに対応するスイッチ１７ｎを閉じて、その外部電源装置１２ｎから供給される電力を充電回路部１８に伝送する。予備充電設定部２０による二次電池１９への電力供給処理のことを予備充電処理と称する。図４に、本発明の第１実施形態の携帯電話における予備充電設定部の回路例を示す。【００５１】
予備充電設定部２０は、電源検出部１３ｎ（ｎ＝０、１、２・・・Ｎ）からの出力信号を入力する入力端子２１ｎ（ｎ＝０、１、２・・・Ｎ）、スイッチ１７ｎ（ｎ＝０、１、２・・・Ｎ）への入力信号を出力する出力端子２２ｎ（ｎ＝０、１、２・・・Ｎ）、インバータ２３ｎ（ｎ＝１、２・・・Ｎ）、論理積回路２４ｎ（ｎ＝０、１、２・・・Ｎ）、から構成される。出力端子２２０は入力端子２１０に接続される。出力端子２２１は入力端子２１１と、出力端子２１０からの入力を反転するインバータ２３１と、からの信号を入力する論理積回路２４１に接続される。出力端子２２Ｎは入力端子２１Ｎと、入力端子２１０から入力端子２１ｎ（ｎ＝Ｎ−１）のそれぞれに接続されたインバータ２３１、２３２…２３Ｎと、からの信号を入力する論理積回路２４Ｎに接続される。図４に示す予備充電設定部２０の回路例では、入力端子２１０、入力端子２１１、入力端子２１２・・・入力端子２１Ｎの順に優先順位が高い設定となる。【００５２】
この回路により、論理積回路２４ｎは、より優先順位の高い入力端子２１０、２１１、・・・２１（ｎ−１）の少なくとも１つから信号を入力すると、入力端子２２ｎから入力した信号を出力すべき出力端子２２ｎに出力しないことになる。一方、優先順位の高い順に入力端子２１０、２１１、・・・２１（ｎ−１）からその入力端子に対応する出力端子２２０、２２１、・・・２２（ｎ−１）に信号を出力することになる。このため、予備充電設定部２０は、制御部１５が起動していない状態にある場合でも、電源検出部１３ｎによって電力の供給が可能であることを検出した外部電源装置１２ｎのうち、最も優先順位の高い外部電源装置１２ｎによって、二次電池１９に電力を供給することができる。なお、充電回路部１８は、各出力端子２２ｎ毎に対応した充電電流値が設定されており、その充電電流値によって二次電池１９に電力を供給する。【００５３】
表示部２１は、記憶部１６を構成するワーキングＲＡＭおよびビデオＲＡＭに記憶された表示用データを制御部１５から入力すると、その表示用データを基に構築した画像を表示出力する。携帯電話において、表示部２１は、ＬＣＤ等によって構成される。【００５４】
入力部２２は、近年の携帯電話が備える十字キー、０〜９、＊、＃などのキーパネルや、各種機能が割り当てられたキー、あるいはＱＷＥＲＴＹキーボードなどによって形成され、携帯電話利用者からの入力操作を受け付ける。【００５５】
次に、本発明の第１実施形態の携帯電話による、二次電池を充電する場合の外部電源装置の切替処理について説明する。図５に、本発明の第１実施形態の携帯電話による外部電源装置の切替処理の流れを表すフローチャートを示す。【００５６】
携帯電話利用者が、外部電源装置１２ｎを外部端子１１ｎに、またはＵＳＢホストをＵＳＢ端子１２に接続すると、携帯電話１は、外部電源装置１２ｎまたはＵＳＢホストから電力が供給されているか否かを検出する（ステップＳ４０１）。このとき、携帯電話１は、制御部１５が起動していない場合には（ステップＳ４０２、Ｎ）、予備充電処理を開始して接続された外部電源装置１２ｎまたはＵＳＢホストのいずれか１つから供給される電力を二次電池１９に供給することによって充電する（ステップＳ４０３）。その後、携帯電話１は、制御部１５が起動すれば（ステップＳ４０２、Ｙ）、電力を供給していることを検出した全ての外部電源装置１２ｎまたはＵＳＢホストに対応する「充電の可否」を記憶部１６から読み出す（ステップＳ４０４）。【００５７】
携帯電話１は、電力を供給していることを検出した全ての外部電源装置１２ｎまたはＵＳＢホストで「充電の可否」が「可」の総数が０個と判定した場合（ステップＳ４０５、ない）、スイッチ１７ｎを開いた状態で（ステップＳ４０９）、ステップＳ４０１に移行して、再度、外部電源装置１２ｎまたはＵＳＢホストから電力が供給されているか否かを監視することになる。【００５８】
また、携帯電話１は、電力を供給していることを検出した外部電源装置１２ｎまたはＵＳＢホストのうち、「充電の可否」が「可」の総数が１つ以上あると判定した場合（ステップＳ４０５、ある）、その検出した全ての外部電源装置１２ｎまたはＵＳＢホストが接続された外部端子１１ｎまたはＵＳＢ端子１２に対応する「優先順位」を記憶部１６から読み出し（ステップＳ４０６）、そのなかで「優先順位」が最も高く割り当てられた外部端子１１ｎまたはＵＳＢ端子１２に対応するスイッチ１７ｎを閉じて二次電池１９への充電を開始する（ステップＳ４０７、ステップＳ４０８）。その後、携帯電話１は、ステップＳ４０１に移行して、再度、外部電源装置１２ｎまたはＵＳＢホストから電力が供給されているか否かを監視することになる。【００５９】
図５のフローチャートでは、本発明の第１実施形態の携帯電話１に外部電源装置１２ｎまたはＵＳＢホストが接続されるときに共通する処理について説明したが、本発明の第１実施形態の携帯電話１は、ＵＳＢホストとの間で電力供給処理を行うときには、エニュメレーション処理を行ってＵＳＢ通信を確立するとともに、ＵＳＢホストにコンフィギュレーションディスクリプタを読み込まれる際に、ＵＳＢデバイスとしてコンフィギュレーションディスクリプタのbm Attributesでバス電源デバイスである事を宣言し、Max Powerとして該デバイスが動作に必要な最大電力量、あるいは電力供給として設定可能な最大電流５００〔ｍＡ〕を宣言する必要がある。以下、本発明の第１実施形態の携帯電話によるＵＳＢホストによる充電処理の流れを説明する。【００６０】
ＵＳＢホストがＵＳＢ端子１２に接続された携帯電話１が行うバスエニュメレーション処理の概略は、次の通りである。すなわち、制御部１５が起動した後（ステップＳ４０２）、アドレス状態に遷移したデバイスとしての携帯電話１は、自身が必要とする電流値をＵＳＢホストに要求する。一方、電流値の要求を受けたＵＳＢホストは、その要求された電流値を許容する場合には、エニュメレーション処理を進めて携帯電話１をコンフィギュレーション状態に遷移させてその要求された電流値で携帯電話１に電力供給を行い、他方、その要求された電流値を許容しない場合には、携帯電話１に応答せず携帯電話１から要求される電流値が許容できる値になるまでエニュメレーション処理を中断する。図６には、本発明の第１実施形態の携帯電話によるＵＳＢホストによる充電処理の流れを表すフローチャートを示している。【００６１】
ＵＳＢホストがＵＳＢ端子１２に接続された携帯電話１は、制御部１５が起動した後（ステップＳ４０２）にアドレス状態に遷移すると、ＵＳＢホストに要求可能な最大値５００〔ｍＡ〕を電流値Ｉｃ１として設定し（ステップＳ５０１）、ＵＳＢホストに要求する（ステップＳ５０２）。携帯電話１は、ＵＳＢホストからその要求に対する応答があれば（ステップＳ５０３、Ｙ）、その電流値Ｉｃ１＝５００〔ｍＡ〕をＵＳＢホストからの電力供給時の電流として記憶部１６に記憶する（ステップＳ５０４）。一方、携帯電話１は、Ｉｃ１を要求した後ＵＳＢホストからその要求に対する応答がない期間が所定の時間経過すれば（ステップＳ５０５、Ｙ）、ＵＳＢホストに要求する電流値Ｉｃ２として電流値Ｉｃ１＝５００〔ｍＡ〕よりも小さい４００〔ｍＡ〕を設定し（ステップＳ５０６）、ＵＳＢホストに要求する（ステップＳ５０２）。携帯電話１は、ＵＳＢホストから要求に対する応答があるまで（ステップＳ５０３、Ｙ）、あるいは、ＵＳＢ規格で保証される下限１００〔ｍＡ〕を下回るまで（ステップＳ５０７、Ｙ）、電流値Ｉｃｎ（ｎ＝１、２、…Ｎ）を小さく設定し（ステップＳ５０６）、ＵＳＢホストに電流値の要求を続ける（なお、ＵＳＢによる充電を行わず、ＵＳＢホストとの間で通信を行う場合には、電流値Ｉｃｎの下限は１００〔ｍＡ〕に限られるものではない）。携帯電話１は、要求した電流値Ｉｃｎに対する応答があれば（ステップＳ５０３、Ｙ）、その電流値ＩｃｎをＵＳＢホストからの電力供給時の電流として記憶部１６に記憶する（ステップＳ５０４）。その後、携帯電話１は、電力を供給していることを検出した外部電源装置１２ｎまたはＵＳＢホストの「充電の可否」を記憶部１６から読み出すことになる（ステップＳ４０４）。【００６２】
その後、携帯電話１は、ステップＳ４０５の処理において、記憶部１６に記憶された「充電の可否」を参照したときに、ＵＳＢによる充電が許可されていれば（ステップＳ４０５、ある）、記憶部１６に記憶された電流値Ｉｃｎを充電回路部１８に設定して、二次電池１９に電力を供給させる（ステップＳ４０８）。なお、携帯電話１は、ＵＳＢホストとのＵＳＢ通信がリセットされる、あるいはＵＳＢホストとの接続が検出できなくなれば、記憶した電流値Ｉｃｎをリセットするようにする。【００６３】
ＵＳＢを利用した充電では、ＵＳＢホストから供給される電流が一定値ではないため、二次電池１９に電力を供給する際には、ＵＳＢホストから供給される電流値Ｉｃを検出し、その電流値Ｉｃによって充電するように制御する必要がある。本発明の第１実施形態の携帯電話では、上述した制御を行うことによって、ＵＳＢホストから供給される可変の電流値Ｉｃに対応することができる。【００６４】
以上、本発明の第１実施形態の携帯電話によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐことができる。【００６５】
また、本発明の実施の形態の携帯電話によれば、外部電源装置毎に設定された、二次電池に電力を供給すべき順位を定めた優先順位に応じて、その二次電池に電力を供給する外部電源装置を決定するため、最適な外部電源装置により二次電池を充電することができる。【００６６】
なお、本発明の第１実施形態の携帯電話では、図３に示すようにＵＳＢを利用したＵＳＢ充電を禁止し、かつ優先順位を低く設定しているが、これに限るものではなく、任意に設定できるものである。【００６７】
また、本発明の実施の形態の携帯電話は、ステップＳ４０４の処理で参照した外部電源装置１２ｎまたはＵＳＢホストの「充電の可否」が「可」である場合（ステップＳ４０５、ある）、その外部電源装置１２ｎまたはＵＳＢホストによって充電することを示すフラグを立てるよう記憶部１６に記憶しておき、そのフラグが立っている間（つまり、その外部電源装置１２ｎまたはＵＳＢホストによって充電している期間）、表示部２１に充電に利用している外部電源を表示するようにしてもよい。図７に、本発明の第１実施形態の携帯電話による、充電時に表示される表示例を示す。例えば、ＵＳＢホストからの電力によって二次電池１９を充電する場合、記憶部１６にＵＳＢホストによって充電することを示すフラグが立っていれば、図７（ａ）の本発明の第１実施形態の携帯電話による充電時に表示される表示例１や図７（ｂ）の本発明の第１実施形態の携帯電話による充電時に表示される表示例２に示すように、二次電池１９への充電が完了するまで、「ＵＳＢ充電中」との文言６１やＵＳＢによる充電中であることを示すマーク６２を表示する。一方、本発明の実施の形態の携帯電話は、外部電源装置１２ｎまたはＵＳＢホストを充電対象から外した場合、その外部電源装置１２ｎまたはＵＳＢホストが充電対象から外されたことを示すフラグを立てるよう記憶部１６に記憶しておき、別の外部電源装置１２ｎまたはＵＳＢホストによって二次電池１９を充電している間、表示部２１に充電に利用していない外部電源を表示するようにしてもよい。例えば、ＵＳＢホストからの電力による充電が禁止されている場合、記憶部１６にＵＳＢホストが充電対象から外されたことを示すフラグが立っていれば、図７（ｃ）の本発明の第１実施形態の携帯電話による充電時に表示される表示例３に示すように、外部電源装置１２ｎによる二次電池１９への充電が完了するまで、「ＵＳＢ充電はできません」との文言６３を表示する。この構成により、携帯電話利用者は、携帯電話をどの外部電源装置で充電しているか、あるいは充電していないかを確認することができる。【００６８】
（第２実施形態）
本発明の第２実施形態の携帯電話では、第１実施形態における携帯電話の記憶部１６に記憶すべき充電用設定内容を、携帯電話利用者に設定させるためのユーザインタフェースの一例について説明する。図８に、本発明の第２実施形態の携帯電話のディスプレイに表示される表示例を示す。【００６９】
携帯電話がコンピュータとＵＳＢ通信を行う場合、携帯電話には二つのモードが特に重要であると考えられる。一つは、携帯電話がコンピュータにとっての通信機として機能するモード（以下、通信モードと称する）、もう一つは携帯電話がコンピュータからみた場合の外部記憶装置として機能するというモード（以下、ｍｉｎｉＳＤモードと称する）、である。これまでの携帯電話においても、ＵＳＢケーブルを介してコンピュータに接続された場合に、この二つのモードのいずれか一方に自動的に切り替えるものがある。図８（ａ）には、従来の携帯電話によるＵＳＢ通信時のモード設定を促す表示例を示す。携帯電話１は、図８（ａ）に示すように、１．「通信モード」と２．「ｍｉｎｉＳＤモード」とを選択肢として表示し、入力部２２による操作によって１．あるいは２．のいずれかが選択されると、その選択されたモードに移行する。【００７０】
本発明の第２実施形態の携帯電話は、図８（ｂ）の本発明の第２実施形態の携帯電話によるＵＳＢ通信時のモード設定を促す表示例１に示すように、１．「通信モード」と２．「ｍｉｎｉＳＤモード」の他に、３．「通信＋充電モード」と４．「ｍｉｎｉＳＤ＋充電モード」を選択肢として追加して表示し、入力部２２による操作によって３．が選択されると、図３に示す記憶部１６に記憶されたＵＳＢ端子の「充電の可否」が「可」に更新され、携帯電話がＵＳＢケーブルによってコンピュータに接続され通信機として機能する処理をコンピュータから要求されたときには、ＵＳＢホストからの電力供給を利用して二次電池１９は充電される。また、入力部２２による操作によって４．が選択されると、図３に示す記憶部１６に記憶されたＵＳＢ端子の「充電の可否」が「可」に更新され、携帯電話がＵＳＢケーブルによってコンピュータに接続され外部記憶装置として機能する処理をコンピュータから要求されたときには、ＵＳＢホストからの電力供給を利用して二次電池１９は充電される。また、図８（ｃ）の本発明の第２実施形態の携帯電話によるＵＳＢ通信時のモード設定を促す表示例２に示すように、選択肢「ＵＳＢ充電する」に対応して設けられたチェックボックス７１をチェックしておくと、携帯電話がＵＳＢケーブルによってコンピュータに接続され通信機として機能する処理をコンピュータから要求されたとき、および携帯電話がＵＳＢケーブルによってコンピュータに接続され外部記憶装置として機能する処理をコンピュータから要求されたとき、の両方のときに、記憶部１６に記憶されたＵＳＢ端子の「充電の可否」が「可」に更新される。【００７１】
ところで、本発明の第２実施形態の携帯電話１は、図８（ｄ）の本発明の第２実施形態の携帯電話による外部電源装置の優先順位設定を促す表示例に示すように、各種外部電源装置毎に優先順位を表す数値の入力を促す画像を表示し、その入力された数値（あるいは、その数値に対応する順位）を記憶部１６に記憶された各端子毎の「優先順位」として更新する。優先順位を表す数値の入力方法には、数値を入力すべき欄７２に操作キーの０〜９のパネルを押下して入力する方法や、外部電源装置を表示した箇所にプルダウンメニュー７３を表示するように設定しておき、そのプルダウンメニュー７３から数値を選択して入力する方法などが考えられる。図８（ｄ）に示すように数値を入力すべき欄７２に数値が入力されない場合には、その外部電源装置は充電に利用しないものとして、記憶部１６に記憶されたその外部電源装置の「充電の可否」を「否」に更新するようにすれば、携帯電話利用者による充電用設定内容の入力操作をより簡素化することができる。【００７２】
本発明の第２実施形態の携帯電話によれば、記憶部１６に記憶すべき充電用設定内容を、上述したユーザインタフェースによって利用者に設定させることによって、両者が簡単にその充電用設定内容を設定することができる。【００７３】
なお、本発明の第１実施形態または２実施形態の携帯電話では、記憶部１６に記憶された充電用設定内容を参照して、制御部１５がスイッチ１７ｎの開閉を制御するように記載したが、電源検出部１３ｎの少なくとも１つが外部電源装置１２ｎまたはＵＳＢホストが外部端子１１ｎまたはＵＳＢ端子１２に接続されたことを検出するたびに、表示部２１に充電を許可するか否かの選択を促す画面を表示して、携帯電話利用者に選択させ、その選択された外部電源によって充電するように構成してもよい。この構成により、携帯電話利用者が充電するための外部電源として意図している外部電源装置１２ｎによって、確実に充電をすることができる。
【産業上の利用可能性】
【００７４】
本発明の電子機器および充電制御方法によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐという効果、また、外部電源装置毎に設定された、二次電池に電力を供給すべき順位を定めた優先順位に応じて、その二次電池に電力を供給する外部電源装置を決定するため、最適な外部電源装置により二次電池を充電するという効果を奏し、複数の外部電源装置からの電力供給が可能な電子機器の分野において有用である。
【図１】
2008044297.tif 000003
【図２】
2008044297.tif 000004
【図３】
2008044297.tif 000005
【図４】
2008044297.tif 000006
【図５】
2008044297.tif 000007
【図６】
2008044297.tif 000008
【図７】
2008044297.tif 000009
【図８】
2008044297.tif 000010
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
電力を供給する方式が異なる少なくとも２つの外部電源装置に別々に接続され、前記外部電源装置からの電力を受け付ける少なくとも２つの外部電源接続部と、
前記外部電源接続部のいずれか１つに接続され、前記外部電源接続部への給電を利用して充電する二次電池と、
前記二次電池に、前記外部電源接続部のいずれか１つを切り替えて接続する切替部と、
前記外部電源接続部に接続された前記外部電源装置を検出し、検出した前記外部電源装置に割り当てられた、当該外部電源装置による電力供給の可否に応じて、前記切替部による切り替えを制御する切替制御部と、
を備え、
少なくとも２つの前記外部電源接続部のうちのいずれか１つは、前記外部電源装置としてのＵＳＢのホスト（Ｕｎｉｖｅｒｓａｌ  Ｓｅｒｉａｌ  Ｂｕｓ）から供給される電力を、ＵＳＢを利用して受け付けるＵＳＢ端子であり、
前記切替制御部は、検出した前記ＵＳＢのホストに割り当てられた、当該ＵＳＢのホストによる電力供給の可否に応じて、前記切替部による切り替えを制御する、
電子機器。
【請求項２】
請求項１記載の電子機器であって、
更に、ＵＳＢ通信時のモード設定を促す表示を行う表示部を備え、
前記表示部は、前記外部電源装置としての前記ＵＳＢのホストのみが接続され、かつ、前記ＵＳＢ端子を介した前記ＵＳＢのホストとの間での通信を行うことができる場合、前記ＵＳＢ通信時のモード設定として、通信を行いかつ充電は行わない第１のモード、及び通信および／または充電を行う第２のモードの少なくとも２つのモードのうちのいずれかを選択することを促す表示を行う、
電子機器。
【請求項３】
請求項１記載の電子機器であって、
前記切替制御部に切り替え制御を行わせるために必要な第１の電力よりも小さい第２の電力にて前記切り替え制御を行う予備充電設定部を備え、
前記予備充電設定部は、前記ＵＳＢのホストによる電力供給の可否にかかわらず、前記ＵＳＢのホストのみが接続され、かつ、前記ＵＳＢのホストとの間での通信を行うことができない場合、前記外部電源装置として前記二次電池に前記ＵＳＢ端子を接続して給電する、
電子機器。
【請求項４】
請求項１記載の電子機器であって、
前記切替制御部は、前記ＵＳＢ端子を介した前記ＵＳＢのホストとの間での通信を行うことができる場合、前記ＵＳＢのホストと通信を行って当該ＵＳＢのホストから供給される電力の値を決定し、前記二次電池に前記ＵＳＢ端子を接続して給電する、
電子機器。
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
電力を供給する方式が異なる少なくとも２つの外部電源装置に別々に接続され、前記外部電源装置からの電力を受け付ける少なくとも２つの外部電源接続部と、
前記外部電源接続部のいずれか１つに接続され、前記外部電源接続部への給電を利用して充電する二次電池と、
前記二次電池に、前記外部電源接続部のいずれか１つを切り替えて接続する切替部と、
前記外部電源接続部に接続された前記外部電源装置を検出し、検出した前記外部電源装置に割り当てられた、当該外部電源装置による電力供給の可否に応じて、前記切替部による切り替えを制御する切替制御部と、
を備え、
少なくとも２つの前記外部電源接続部のうちのいずれか１つは、前記外部電源装置としてのＵＳＢのホスト（Universal Serial Bus）から供給される電力を、ＵＳＢを利用して受け付けるＵＳＢ端子であり、
前記切替制御部は、検出した前記ＵＳＢのホストに割り当てられた、当該ＵＳＢのホストによる電力供給の可否に応じて、前記切替部による切り替えを制御する、
電子機器。
【請求項２】
請求項１記載の電子機器であって、
更に、ＵＳＢ通信時のモード設定を促す表示を行う表示部を備え、
前記表示部は、前記外部電源装置としての前記ＵＳＢのホストのみが接続され、かつ、前記ＵＳＢ端子を介した前記ＵＳＢのホストとの間での通信を行うことができる場合、前記ＵＳＢ通信時のモード設定として、通信を行いかつ充電は行わない第１のモード、及び通信および／または充電を行う第２のモードの少なくとも２つのモードのうちのいずれかを選択することを促す表示を行う、
電子機器。
【請求項３】
請求項１記載の電子機器であって、
前記切替制御部に切り替え制御を行わせるために必要な第１の電力よりも小さい第２の電力にて前記切り替え制御を行う予備充電設定部を備え、
前記予備充電設定部は、前記ＵＳＢのホストによる電力供給の可否にかかわらず、前記ＵＳＢのホストのみが接続され、かつ、前記ＵＳＢのホストとの間での通信を行うことができない場合、前記外部電源装置として前記二次電池に前記ＵＳＢ端子を接続して給電する、
電子機器。
【請求項４】
請求項１記載の電子機器であって、
前記切替制御部は、前記ＵＳＢ端子を介した前記ＵＳＢのホストとの間での通信を行うことができる場合、前記ＵＳＢのホストと通信を行って当該ＵＳＢのホストから供給される電力の値を決定し、前記二次電池に前記ＵＳＢ端子を接続して給電する、
電子機器。
【手続補正２】
【補正対象書類名】明細書
【補正対象項目名】全文
【補正方法】変更
【補正の内容】
【発明の詳細な説明】
【技術分野】
【０００１】
本発明は、複数の外部電源装置、例えばＡＣ電源装置、無接点充電器、またはＵＳＢ（Universal Serial Bus）充電器など、からの電力供給が可能な電子機器に関し、特に、複数の外部電源装置からの供給電力を電子機器に搭載された二次電池に選択的に供給して、その二次電池を充電する電子機器、および二次電池を充電するための電力を供給する外部電源装置を切り替える充電制御方法に関する。
【背景技術】
【０００２】
普及が進む携帯情報端末には、出力電圧が低下しても充電することにより所定の出力電圧を再度供給することができる二次電池が必須である。近年では、ＡＣ電源装置から供給される電力によって二次電池を充電する機構を備えた携帯情報端末以外に、無接点充電器あるいはＵＳＢ充電器などの各種充電器から供給される電力によって二次電池を充電する機構を備えた携帯情報端末が提案されている（例えば、特許文献１から特許文献４を参照）。
【特許文献１】特開２００５−１３７１７３号公報
【特許文献２】特開２００５−００６４４１号公報
【特許文献３】特開２００５−０１２８８９号公報
【特許文献４】特開２００４−２８７８８７号公報
【発明の開示】
【発明が解決しようとする課題】
【０００３】
携帯情報端末の中には、二次電池を充電する機構を複数の外部電源装置毎に備え、複数の外部電源装置の中のいずれか１つから供給される電力によって二次電池を充電するものがある。
【０００４】
しかしながら、このような機構を備えた携帯情報端末は、端末利用者が二次電池を充電することを意図していないときにも、二次電池の充電を自動的に開始してしまうことがある。ＵＳＢ充電器としての機能を備えたコンピュータから供給される電力によって二次電池を充電する機構を携帯情報端末が備えている場合を例に挙げる。このとき、端末利用者は、コンピュータと携帯情報端末との間でＵＳＢを介した通信を行うことのみを意図してコンピュータと携帯情報端末とを接続したつもりが、コンピュータが携帯情報端末に備わる二次電池への電力供給処理を自動的に開始してしまい、端末利用者にとって不要な処理をコンピュータにさせてしまうことになる。
【０００５】
さらに、このような機構を備えた携帯情報端末は、必ずしも効果的に二次電池を充電しているとは限らない。ＡＣ電源装置と、ＵＳＢ充電器としての機能を備えたコンピュータと、からの電力によって二次電池を充電する機構を携帯情報端末が備えている場合を例に挙げる。ＵＳＢを介して携帯情報端末に接続されたコンピュータは、携帯情報端末に備わる二次電池への電力供給処理を開始するが、コンピュータに搭載された二次電池（携帯情報端末に備わる二次電池と区別するために、以下、コンピュータに備わる二次電池をホスト用二次電池と称し、一方、携帯情報端末に備わる二次電池をデバイス用二次電池と称する）がコンピュータ用のＡＣ電源装置に接続されておらず、充電が継続されていない期間中にも、携帯情報端末に備わるデバイス用二次電池への電力供給処理を開始してしまう。このとき、コンピュータはホスト用二次電池に蓄えられていた電力をデバイス用二次電池に分け与えることにより、デバイス用二次電池を充電することになるが、携帯情報端末は、ホスト用二次電池がコンピュータ用のＡＣ電源装置による充電が継続されていない期間には、携帯情報端末用のＡＣ電源装置からの電力によってデバイス用二次電池を充電するように切り替えることが好ましい。このように、従来の携帯情報端末では、最適な外部電源装置により携帯情報端末に備わる二次電池に電力を供給することはできなかった。
【０００６】
本発明は、上記事情に鑑みてなされたもので、二次電池を充電する必要があるときにのみ、二次電池に電力を供給することができる電子機器、および充電制御方法を提供することを目的とする。
【０００７】
また、本発明は、複数の外部電源装置のうちの最適な外部電源装置により二次電池を充電することができる電子機器、および充電制御方法を提供することを目的とする。
【課題を解決するための手段】
【０００８】
本発明の電子機器は、電力を供給する方式が異なる少なくとも２つの外部電源装置に別々に接続され、前記外部電源装置からの電力を受け付ける少なくとも２つの外部電源接続部と、前記外部電源接続部のいずれか１つに接続され、前記外部電源接続部への給電を利用して充電する二次電池と、前記二次電池に、前記外部電源接続部のいずれか１つを切り替えて接続する切替部と、前記外部電源接続部に接続された前記外部電源装置を検出し、検出した前記外部電源装置に割り当てられた、当該外部電源装置による電力供給の可否に応じて、前記切替部による切り替えを制御する切替制御部と、を備えるものである。
【０００９】
本発明の充電制御方法は、電子機器に備わる二次電池に、電力を供給する方式が異なる少なくとも２つの外部電源装置のうちのいずれか１つから電力を供給する充電制御方法であって、前記電子機器に接続された前記外部電源装置を検出し、検出した前記外部電源装置に割り当てられた、当該外部電源装置による電力供給の可否を参照し、前記電力供給の可が割り当てられた前記外部電源装置から、前記二次電池に電力を供給する、ものである。
【００１０】
この構成により、外部電源装置毎に設定された、当該電子機器に備わる二次電池をその外部電源装置によって充電することを許可するか否かに応じて、その二次電池に電力を供給する外部電源装置を決定するため、二次電池を充電するために電力を供給することが利用者に要求されていない外部電源装置によって、不要に電力が供給されることを防ぐことができる。
【００１１】
本発明の電子機器は、電力を供給する方式が異なる少なくとも２つの外部電源装置に別々に接続され、前記外部電源装置からの電力を受け付ける少なくとも２つの外部電源接続部と、前記外部電源接続部のいずれか１つに接続され、前記外部電源接続部への給電を利用して充電する二次電池と、前記二次電池に、前記外部電源接続部のいずれか１つを切り替えて接続する切替部と、前記外部電源接続部に接続された前記外部電源装置を検出し、検出した前記外部電源装置に割り当てられた優先順位に応じて、前記切替部による切り替えを制御する切替制御部と、を備えるものである。
【００１２】
本発明の充電制御方法は、電子機器に備わる二次電池に、電力を供給する方式が異なる少なくとも２つの外部電源装置のうちのいずれか１つから電力を供給する充電制御方法であって、前記電子機器に接続された前記外部電源装置を検出し、検出した前記外部電源装置に割り当てられた優先順位を参照し、割り当てられた前記優先順位が高い前記外部電源装置から、前記二次電池に電力を供給する、ものである。
【００１３】
また、本発明の電子機器は、前記切替制御部が、検出した前記外部電源装置のうちの、割り当てられた優先順位が最も高いものを、前記二次電池に接続する、ものを含む。
【００１４】
この構成により、外部電源装置毎に設定された、二次電池に電力を供給すべき順位を定めた優先順位に応じて、その二次電池に電力を供給する外部電源装置を決定するため、最適な外部電源装置により電子機器に備わる二次電池を充電することができる。
【００１５】
また、本発明の電子機器は、前記外部電源接続部が、少なくとも第１の外部電源接続部と第２の外部電源接続部とを含み、前記第１の外部電源接続部が、少なくとも２つの前記外部電源装置のうちの第１の外部電源装置に接続され、前記第２の外部電源接続部が、少なくとも２つの前記外部電源装置のうちの第２の外部電源装置に接続され、前記切替制御部が、前記第１の外部電源接続部を前記二次電池に接続した後に、前記第１の外部電源装置よりも割り当てられた優先順位が高い、前記第２の外部電源装置が前記第２の外部電源接続部に接続されたことを検出した場合、前記第２の外部電源接続部を前記二次電池に切り替えて接続する、ものを含む。
【００１６】
また、本発明の電子機器は、前記外部電源接続部が、少なくとも第１の外部電源接続部と第２の外部電源接続部とを含み、前記第１の外部電源接続部が、少なくとも２つの前記外部電源装置のうちの第１の外部電源装置に接続され、前記第２の外部電源接続部が、少なくとも２つの前記外部電源装置のうちの第２の外部電源装置に接続され、前記切替制御部が、前記第１の外部電源接続部を前記二次電池に接続した後に、前記第１の外部電源装置よりも割り当てられた優先順位が低い、前記第２の外部電源装置が前記第２の外部電源接続部に接続されたことを検出した場合、前記第１の外部電源接続部を前記二次電池に継続して接続する、ものを含む。
【００１７】
この構成により、新たに接続された外部電源装置が電子機器に備わる二次電池の充電に好ましい場合、その外部電源装置に切り替えて充電を開始するため、いつでも最適な外部電源装置により電子機器に備わる二次電池を充電することができる
【００１８】
また、本発明の電子機器は、入力操作を受け付ける操作部と、を備え、前記操作部が、少なくとも２つの前記外部電源装置に割り当てられるべき前記電力供給の可否を設定する入力操作を受け付け、前記切替制御部が、前記操作部により受け付けた、前記外部電源装置に割り当てられた、当該外部電源装置による前記電力供給の可否に応じて、前記切替部による切り替えを制御する、ものを含む。
【００１９】
また、本発明の電子機器は、入力操作を受け付ける操作部と、を備え、前記操作部が、少なくとも２つの前記外部電源装置に割り当てられるべき前記優先順位を設定する入力操作を受け付け、前記切替制御部が、前記操作部により受け付けた、前記外部電源装置に割り当てられた前記優先順位に応じて、前記切替部による切り替えを制御する、ものを含む。
【００２０】
この構成により、電子機器利用者が充電するための外部電源として意図している外部電源装置によって、確実に充電をすることができる。
【００２１】
また、本発明の電子機器は、各種情報を記憶する記憶部を備え、前記記憶部が、前記操作部により受け付けた、前記外部電源装置に割り当てられた前記電力供給の可否を記憶し、前記切替制御部が、前記記憶部に記憶した、前記外部電源装置に割り当てられた、当該外部電源装置による前記電力供給の可否に応じて、前記切替部による切り替えを制御する、ものを含む。
【００２２】
また、本発明の電子機器は、各種情報を記憶する記憶部を備え、前記記憶部が、前記操作部により受け付けた、前記外部電源装置に割り当てられた前記優先順位を記憶し、前記切替制御部が、前記記憶部に記憶した、前記外部電源装置に割り当てられた前記優先順位に応じて、前記切替部による切り替えを制御する、ものを含む。
【００２３】
この構成により、電子機器利用者が充電するための外部電源として意図している外部電源装置を一度設定しておけば、自動的に最適な外部電源装置によって充電をすることができる。
【００２４】
また、本発明の電子機器は、前記切替制御部に切り替え制御を行わせるために必要な第１の電力よりも小さい第２の電力にて駆動する予備切替制御部を備え、前記予備切替制御部は、前記外部電源接続部に接続された前記外部電源装置を検出し、検出した前記外部電源装置に固定的に割り当てられた優先順位に応じて、前記切替部による切り替えを制御する、ものを含む。
【００２５】
この構成により、切替制御部が起動していない状態にある場合でも、電力の供給が可能であることを検出した外部電源装置のうち、最も優先順位の高い外部電源装置によって、二次電池に電力を供給することができる。
【００２６】
また、本発明の電子機器は、少なくとも２つの前記外部電源接続部のうちのいずれか１つが、前記外部電源装置から供給される電力をＵＳＢ（Universal Serial Bus）を利用して受け付けるＵＳＢ端子である、ものを含む。
【００２７】
また、本発明の電子機器は、少なくとも２つの前記外部電源接続部のうちのいずれか１つが、ＡＣ電源としての前記外部電源装置から供給される電力を受け付けるＡＣ電源端子である、ものを含む。
【００２８】
また、本発明の電子機器は、少なくとも２つの前記外部電源接続部のうちのいずれか１つが、前記外部電源装置から電磁誘導方式によって伝送される電力を受信する受信コイルである、ものを含む。
【００２９】
この構成により、本発明の電子機器を充電する外部電源装置として、既存の様々な外部電源を適用することができる。
【発明の効果】
【００３０】
本発明の電子機器および充電制御方法によれば、二次電池を充電する必要があるときにのみ、二次電池に電力を供給することができる。また、複数の外部電源装置のうちの最適な外部電源装置により二次電池を充電することができる。
【発明を実施するための最良の形態】
【００３１】
以下、本発明の実施の形態の電子機器について説明する。本発明の電子機器の一例として携帯電話を挙げて以後説明するが、本発明の電子機器を携帯電話に限定するものではなく、二次電池を充電する機構を複数の外部電源装置毎に備え、複数の外部電源装置の中のいずれかから供給される電力によって二次電池を充電する電子機器全般がその対象に含まれる。
【００３２】
まず、本発明の実施の形態の携帯電話の概略を説明する。図１に、本発明の実施の形態の携帯電話による充電処理を説明する模式図を示す。最近の携帯情報端末の中には、当該端末に搭載された二次電池を充電する機構を複数の外部電源装置毎に備え、複数の外部電源装置の中のいずれか１つから供給される電力によって二次電池を充電するものがある。図１に示す本発明の実施の形態の携帯電話１は、ＡＣ電源、無接点充電装置あるいはＵＳＢのホスト（デバイスが接続される端末のことを指す。図１では、デバイスとしての携帯電話１が接続されたラップトップコンピュータがホストに相当する。なお、ＵＳＢケーブルの一端を形成するデバイス側コネクタ４にはデバイスが、他端を形成するホスト側コネクタ５にはホストが、それぞれ接続される）などの外部電源装置から供給される電力によって二次電池を充電する機構を備えており、ＡＣ充電用コネクタ２またはＵＳＢケーブルの一端であるデバイス側コネクタ４に接続され、あるいは無接点充電台３上に配置されて、外部電源装置が接続されたことを検出すると、その外部電源装置のいずれかを選択的に切り替えて二次電池に接続し、接続された外部電源装置から供給される電力を二次電池へ伝送する。
【００３３】
本発明の実施の形態の携帯電話１は、複数の外部電源装置が接続されたことを検出した場合、次に説明する処理を行って、その外部電源装置のいずれかを選択的に切り替えて二次電池に接続する。すなわち、本発明の実施の形態の携帯電話１には、各外部電源装置毎に、その外部電源装置による二次電池の充電を許可するか否かを判別する「充電の可否」、および優先的に二次電池に電力を供給すべき順位を定めた「優先順位」によって構成される充電用設定内容が情報として記憶されている。
【００３４】
例えば、本発明の実施の形態の携帯電話１は、ＡＣ充電用コネクタ２を介してＡＣ電源に接続されたことを検出した場合、ＡＣ電源充電の「充電の可否」を参照して充電が許可されていると判別すると、ＡＣ電源からの電力供給配線を二次電池に接続し、ＡＣ電源から供給される電力を二次電池へ伝送する。一方、携帯電話１は、ＵＳＢケーブルを介してＵＳＢのホストに接続されたことを検出した場合、ＵＳＢ充電の「充電の可否」を参照して充電が許可されていないと判別すると、ＵＳＢのホストから二次電池を充電する処理を行わない。
【００３５】
このように、本発明の実施の形態の携帯電話によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐことができる。
【００３６】
また、例えば、本発明の実施の形態の携帯電話１は、無接点充電台３上に配置されていることと、ＵＳＢのホストとに接続されていることを同時期に検出した場合、無接点充電およびＵＳＢ充電それぞれの「優先順位」を参照して無接点充電に定められた優先順位が高いと判定すると、無接点充電台３からの電力供給配線を二次電池に接続して、無接点充電台３から供給される電力を二次電池へ伝送する。また、その後、携帯電話１は、ＡＣ電源に接続されたことを検出した場合、ＡＣ電源、無接点充電およびＵＳＢ充電それぞれの「優先順位」を参照してＡＣ電源充電に定められた優先順位が最も高いと判定すると、ＡＣ電源からの電力供給配線を二次電池に接続して、ＡＣ電源から供給される電力を二次電池へ伝送する。
【００３７】
このように、本発明の実施の形態の携帯電話によれば、外部電源装置毎に設定された、二次電池に電力を供給すべき順位を定めた優先順位に応じて、その二次電池に電力を供給する外部電源装置を決定するため、最適な外部電源装置により二次電池を充電することができる。以下、本発明の実施の形態の携帯電話について詳細に説明する。
【００３８】
（第１実施形態）
図２に、本発明の第１実施形態の携帯電話の機能ブロック図を示す。本発明の第１実施形態の携帯電話１は、第ｎの外部端子１１ｎ（ｎ＝１、２、…Ｎ）、ＵＳＢ端子１２、第ｎの電源検出部１３ｎ（ｎ＝０、１、２、…Ｎ）、ＵＳＢインタフェース部１４、制御部１５、記憶部１６、第ｎのスイッチ１７ｎ（ｎ＝０、１、２、…Ｎ）、充電回路部１８、二次電池１９、予備充電設定部２０、表示部２１、入力部２２、を含んで構成される。なお、図２において、外部電源装置１２ｎから、第ｎの外部端子１１ｎ、スイッチ１７ｎおよび充電回路部１８を経由して二次電池１９に至る矢印（太線）、および、ＵＳＢホストから、ＵＳＢ端子１２、スイッチ１７０および充電回路部１８を経由して二次電池１９に至る矢印（太線）は、電力の流れを示しており、その他の矢印（細線）は、信号の入出力を示している。
【００３９】
第ｎの外部端子１１ｎは、各種外部電源装置１２ｎ（ｎ＝１、２、…Ｎ）からの電力給電配線に接続される端子である。外部電源装置として考えられるＡＣ電源からの電力給電配線に接続される第ｎの外部端子１１ｎは、ＡＣアダプタを接続する端子や、ＡＣアダプタに接続あるいは一体成型された充電器における導電性突起部に導通させるための金属部（接点端子と称されることがある）によって構成される。また、外部電源装置として考えられる無接点充電装置からの電磁誘導による電力伝送を受信する第ｎの外部端子１１ｎは、コイルによって形成される。
【００４０】
ＵＳＢ端子１２は、ＵＳＢケーブルの一端を形成するデバイス側コネクタに接続される端子である。
【００４１】
第ｎの電源検出部１３ｎは、ＵＳＢホストまたは外部電源装置１２ｎから電力が供給されているか否かを検出する。具体的な検出処理としては、第ｎの電源検出部１３ｎは、外部電源装置１２ｎに備わる電力供給用のコネクタが第ｎの外部端子１１ｎに導通したことを電気的に検出したことを、外部電源装置から電力が供給されているものとして判定する。また、別の検出処理としては、第ｎの電源検出部１３ｎは、第ｎの外部端子１１ｎにおいて計測される電圧が所定の数値以上になったことを検出したことを、外部電源装置から電力が供給されているものとして判定する。特に、第０の電源検出部１３０は、後述するＵＳＢインタフェース部１４がコンフィギュレーション状態に移行したことを検出することも考えられる。そして、第ｎの電源検出部１３ｎは、外部電源装置１２ｎから電力が供給されていると判定した場合には、制御部１５にその旨を表す信号を出力する。
【００４２】
ＵＳＢインタフェース部１４は、ＵＳＢ端子１２に接続されたＵＳＢのホストとの間で、ＵＳＢ通信を実行する。ＵＳＢを利用したホスト−デバイス間での通信処理は公知であるため本明細書では詳細に説明しないが、ＵＳＢを利用してホストからデバイスに電力を供給する電力供給処理については本発明に関わるところであるため、以下電力供給処理に関わるＵＳＢ通信について要点を説明する。
【００４３】
デバイスとしての携帯電話１は、図１に示すようにＵＳＢケーブルを介してホストであるラップトップコンピュータに接続されると、ＵＳＢのエニュメレーション処理として以下のように状態が遷移する。すなわち、装着状態（Attached）、電力状態（Powered）を経てリセット信号を確認するとデフォルト状態（Default）となり、その後ホストからアドレスを割り当てられるとアドレス状態（Address）となる。続いて、ホスト（ラップトップコンピュータ）は、デバイスをコンフィギュレーション状態（Configured）にするために、デバイスのコンフィギュレーションディスクリプタを読み込みコンフィギュレーション状態に移行が可能なことを確認した後、デバイスをコンフィギュレーション状態とすることによって、ＵＳＢを利用した通信が可能になる。一方、デバイス（携帯電話１）は、ホストにコンフィギュレーションディスクリプタを読み込まれる際に、ＵＳＢデバイスとしてコンフィギュレーションディスクリプタのbm Attributesでバス電源デバイスである事を宣言し、Max Powerとして該デバイスが動作に必要な最大電力量、あるいは電力供給として設定可能な最大電流５００〔ｍＡ〕を宣言する。この処理を経て、デバイス（携帯電話１）は、宣言した最大電力量（あるいは最大電流５００〔ｍＡ〕）を上限とする電力（あるいは電流）をホスト（ラップトップコンピュータ）から消費してよいことになる。
【００４４】
制御部１５は、外部電源装置１２ｎから電力が供給されていることを表す信号を第ｎの電源検出部１３ｎから入力すると、記憶部１６に記憶された充電用設定内容を参照して、スイッチ１７ｎの開閉を制御するように構成される。制御部１５および記憶部１６は、近年の携帯電話に搭載されるＣＰＵおよびメモリがその機能を果たす。図３に、本発明の第１実施形態における記憶部がデータとして記憶する充電用設定内容の概念図を示す。記憶部１６は、外部端子毎に、充電の可否および優先順位を記憶している。制御部１５は、例えば、外部電源装置１２１から電力が供給されていることを表す信号を電源検出部１３１から入力すると、記憶部１６に記憶された第１の外部端子１１１の「充電の可否」を参照して充電が許可されていると判別し、スイッチ１７１を閉じて外部電源装置１２１からの電力供給配線を充電回路部１８に接続する。一方、ＵＳＢのホストから電力が供給されていることを表す信号を電源検出部１３０から入力すると、記憶部１６に記憶されたＵＳＢ端子１２の「充電の可否」を参照して充電が許可されていないと判別し、スイッチ１７０を開いた状態を維持してＵＳＢホストからの電力供給配線を充電回路部１８に接続しない。
【００４５】
また、制御部１５は、例えば、外部電源装置１２２から電力が供給されていることを表す信号を電源検出部１３２から、さらにＵＳＢのホストから電力が供給されていることを表す信号を電源検出部１３０から、同時期に入力し、第２の外部端子１１２およびＵＳＢ端子１２それぞれの「優先順位」を参照して第２の外部端子に定められた優先順位が高いと判定すると、スイッチ１７２を閉じて外部電源装置１２２からの電力供給配線を充電回路部１８に接続する。また、その後、制御部１５は、外部電源装置１２１から電力が供給されていることを表す信号を電源検出部１３１から入力すると、第１の外部端子１１１、第２の外部端子１１２およびＵＳＢ端子１２それぞれの「優先順位」を参照して第１の外部端子１１１に定められた優先順位が最も高いと判定すると、スイッチ１７１を閉じて外部電源装置１２１からの電力供給配線を充電回路部１８に接続する。
【００４６】
なお、制御部１５が記憶部１６に記憶された「充電の可否」を参照してスイッチ１７ｎを切り替える処理と、「優先順位」を参照してスイッチ１７ｎを切り替える処理と、を別々に記載したが、この処理を組み合わせて、電力供給を検出したうちの外部端子の中で、最も高い優先順位が第ｎの外部端子１１ｎに設定されていても、充電が許可されていなければ、スイッチ１７ｎを開いた状態を維持するようにしても構わない。
【００４７】
充電回路部１８は、変圧回路、整流回路を備え、外部電源装置１２ｎから伝送される供給電圧を二次電池１９に供給すべき定格電圧（定格電流）に変換して、二次電池に供給する。なお、充電回路部１８は、各スイッチ１７ｎ毎に対応した充電電流値が設定されており、その充電電流値によって二次電池１９に電力を供給する。
【００４８】
予備充電設定部２０は、制御部１５が起動していない状態にある場合に、例えば二次電池１９に制御部１５を駆動させることが可能な程度の容量が残っていない場合、携帯電話１が電源オフになっている場合、あるいは携帯電話１が電源オンになって間が無く制御部１５が実行すべきプログラムが起動していない場合などに、第ｎの外部端子１１ｎに接続されている外部電源装置またはＵＳＢホストから供給される低電流（制御部１５が起動しているときに供給される電流値よりも低いという意味で低電流と称している）を利用して、それら外部電源装置またはＵＳＢホストのうちの、予め設定された優先順位（この優先順位は、記憶部１６に記憶された優先順位と同一であっても構わないが、予備充電設定部２０が機械的にスイッチ１７ｎの開閉を切り替える構造を有しているため、その順位は不変である）が最も高い外部電源装置１２ｎに対応するスイッチ１７ｎを閉じて、その外部電源装置１２ｎから供給される電力を充電回路部１８に伝送する。予備充電設定部２０による二次電池１９への電力供給処理のことを予備充電処理と称する。図４に、本発明の第１実施形態の携帯電話における予備充電設定部の回路例を示す。
【００４９】
予備充電設定部２０は、電源検出部１３ｎ（ｎ＝０、１、２・・・Ｎ）からの出力信号を入力する入力端子２１ｎ（ｎ＝０、１、２・・・Ｎ）、スイッチ１７ｎ（ｎ＝０、１、２・・・Ｎ）への入力信号を出力する出力端子２２ｎ（ｎ＝０、１、２・・・Ｎ）、インバータ２３ｎ（ｎ＝１、２・・・Ｎ）、論理積回路２４ｎ（ｎ＝０、１、２・・・Ｎ）、から構成される。出力端子２２０は入力端子２１０に接続される。出力端子２２１は入力端子２１１と、出力端子２１０からの入力を反転するインバータ２３１と、からの信号を入力する論理積回路２４１に接続される。出力端子２２Ｎは入力端子２１Ｎと、入力端子２１０から入力端子２１ｎ（ｎ＝Ｎ−１）のそれぞれに接続されたインバータ２３１、２３２…２３Ｎと、からの信号を入力する論理積回路２４Ｎに接続される。図４に示す予備充電設定部２０の回路例では、入力端子２１０、入力端子２１１、入力端子２１２・・・入力端子２１Ｎの順に優先順位が高い設定となる。
【００５０】
この回路により、論理積回路２４ｎは、より優先順位の高い入力端子２１０、２１１、・・・２１（ｎ−１）の少なくとも１つから信号を入力すると、入力端子２２ｎから入力した信号を出力すべき出力端子２２ｎに出力しないことになる。一方、優先順位の高い順に入力端子２１０、２１１、・・・２１（ｎ−１）からその入力端子に対応する出力端子２２０、２２１、・・・２２（ｎ−１）に信号を出力することになる。このため、予備充電設定部２０は、制御部１５が起動していない状態にある場合でも、電源検出部１３ｎによって電力の供給が可能であることを検出した外部電源装置１２ｎのうち、最も優先順位の高い外部電源装置１２ｎによって、二次電池１９に電力を供給することができる。なお、充電回路部１８は、各出力端子２２ｎ毎に対応した充電電流値が設定されており、その充電電流値によって二次電池１９に電力を供給する。
【００５１】
表示部２１は、記憶部１６を構成するワーキングＲＡＭおよびビデオＲＡＭに記憶された表示用データを制御部１５から入力すると、その表示用データを基に構築した画像を表示出力する。携帯電話において、表示部２１は、ＬＣＤ等によって構成される。
【００５２】
入力部２２は、近年の携帯電話が備える十字キー、０〜９、＊、＃などのキーパネルや、各種機能が割り当てられたキー、あるいはＱＷＥＲＴＹキーボードなどによって形成され、携帯電話利用者からの入力操作を受け付ける。
【００５３】
次に、本発明の第１実施形態の携帯電話による、二次電池を充電する場合の外部電源装置の切替処理について説明する。図５に、本発明の第１実施形態の携帯電話による外部電源装置の切替処理の流れを表すフローチャートを示す。
【００５４】
携帯電話利用者が、外部電源装置１２ｎを外部端子１１ｎに、またはＵＳＢホストをＵＳＢ端子１２に接続すると、携帯電話１は、外部電源装置１２ｎまたはＵＳＢホストから電力が供給されているか否かを検出する（ステップＳ４０１）。このとき、携帯電話１は、制御部１５が起動していない場合には（ステップＳ４０２、Ｎ）、予備充電処理を開始して接続された外部電源装置１２ｎまたはＵＳＢホストのいずれか１つから供給される電力を二次電池１９に供給することによって充電する（ステップＳ４０３）。その後、携帯電話１は、制御部１５が起動すれば（ステップＳ４０２、Ｙ）、電力を供給していることを検出した全ての外部電源装置１２ｎまたはＵＳＢホストに対応する「充電の可否」を記憶部１６から読み出す（ステップＳ４０４）。
【００５５】
携帯電話１は、電力を供給していることを検出した全ての外部電源装置１２ｎまたはＵＳＢホストで「充電の可否」が「可」の総数が０個と判定した場合（ステップＳ４０５、ない）、スイッチ１７ｎを開いた状態で（ステップＳ４０９）、ステップＳ４０１に移行して、再度、外部電源装置１２ｎまたはＵＳＢホストから電力が供給されているか否かを監視することになる。
【００５６】
また、携帯電話１は、電力を供給していることを検出した外部電源装置１２ｎまたはＵＳＢホストのうち、「充電の可否」が「可」の総数が１つ以上あると判定した場合（ステップＳ４０５、ある）、その検出した全ての外部電源装置１２ｎまたはＵＳＢホストが接続された外部端子１１ｎまたはＵＳＢ端子１２に対応する「優先順位」を記憶部１６から読み出し（ステップＳ４０６）、そのなかで「優先順位」が最も高く割り当てられた外部端子１１ｎまたはＵＳＢ端子１２に対応するスイッチ１７ｎを閉じて二次電池１９への充電を開始する（ステップＳ４０７、ステップＳ４０８）。その後、携帯電話１は、ステップＳ４０１に移行して、再度、外部電源装置１２ｎまたはＵＳＢホストから電力が供給されているか否かを監視することになる。
【００５７】
図５のフローチャートでは、本発明の第１実施形態の携帯電話１に外部電源装置１２ｎまたはＵＳＢホストが接続されるときに共通する処理について説明したが、本発明の第１実施形態の携帯電話１は、ＵＳＢホストとの間で電力供給処理を行うときには、エニュメレーション処理を行ってＵＳＢ通信を確立するとともに、ＵＳＢホストにコンフィギュレーションディスクリプタを読み込まれる際に、ＵＳＢデバイスとしてコンフィギュレーションディスクリプタのbm Attributesでバス電源デバイスである事を宣言し、Max Powerとして該デバイスが動作に必要な最大電力量、あるいは電力供給として設定可能な最大電流５００〔ｍＡ〕を宣言する必要がある。以下、本発明の第１実施形態の携帯電話によるＵＳＢホストによる充電処理の流れを説明する。
【００５８】
ＵＳＢホストがＵＳＢ端子１２に接続された携帯電話１が行うバスエニュメレーション処理の概略は、次の通りである。すなわち、制御部１５が起動した後（ステップＳ４０２）、アドレス状態に遷移したデバイスとしての携帯電話１は、自身が必要とする電流値をＵＳＢホストに要求する。一方、電流値の要求を受けたＵＳＢホストは、その要求された電流値を許容する場合には、エニュメレーション処理を進めて携帯電話１をコンフィギュレーション状態に遷移させてその要求された電流値で携帯電話１に電力供給を行い、他方、その要求された電流値を許容しない場合には、携帯電話１に応答せず携帯電話１から要求される電流値が許容できる値になるまでエニュメレーション処理を中断する。図６には、本発明の第１実施形態の携帯電話によるＵＳＢホストによる充電処理の流れを表すフローチャートを示している。
【００５９】
ＵＳＢホストがＵＳＢ端子１２に接続された携帯電話１は、制御部１５が起動した後（ステップＳ４０２）にアドレス状態に遷移すると、ＵＳＢホストに要求可能な最大値５００〔ｍＡ〕を電流値Ｉｃ１として設定し（ステップＳ５０１）、ＵＳＢホストに要求する（ステップＳ５０２）。携帯電話１は、ＵＳＢホストからその要求に対する応答があれば（ステップＳ５０３、Ｙ）、その電流値Ｉｃ１＝５００〔ｍＡ〕をＵＳＢホストからの電力供給時の電流として記憶部１６に記憶する（ステップＳ５０４）。一方、携帯電話１は、Ｉｃ１を要求した後ＵＳＢホストからその要求に対する応答がない期間が所定の時間経過すれば（ステップＳ５０５、Ｙ）、ＵＳＢホストに要求する電流値Ｉｃ２として電流値Ｉｃ１＝５００〔ｍＡ〕よりも小さい４００〔ｍＡ〕を設定し（ステップＳ５０６）、ＵＳＢホストに要求する（ステップＳ５０２）。携帯電話１は、ＵＳＢホストから要求に対する応答があるまで（ステップＳ５０３、Ｙ）、あるいは、ＵＳＢ規格で保証される下限１００〔ｍＡ〕を下回るまで（ステップＳ５０７、Ｙ）、電流値Ｉｃｎ（ｎ＝１、２、…Ｎ）を小さく設定し（ステップＳ５０６）、ＵＳＢホストに電流値の要求を続ける（なお、ＵＳＢによる充電を行わず、ＵＳＢホストとの間で通信を行う場合には、電流値Ｉｃｎの下限は１００〔ｍＡ〕に限られるものではない）。携帯電話１は、要求した電流値Ｉｃｎに対する応答があれば（ステップＳ５０３、Ｙ）、その電流値ＩｃｎをＵＳＢホストからの電力供給時の電流として記憶部１６に記憶する（ステップＳ５０４）。その後、携帯電話１は、電力を供給していることを検出した外部電源装置１２ｎまたはＵＳＢホストの「充電の可否」を記憶部１６から読み出すことになる（ステップＳ４０４）。
【００６０】
その後、携帯電話１は、ステップＳ４０５の処理において、記憶部１６に記憶された「充電の可否」を参照したときに、ＵＳＢによる充電が許可されていれば（ステップＳ４０５、ある）、記憶部１６に記憶された電流値Ｉｃｎを充電回路部１８に設定して、二次電池１９に電力を供給させる（ステップＳ４０８）。なお、携帯電話１は、ＵＳＢホストとのＵＳＢ通信がリセットされる、あるいはＵＳＢホストとの接続が検出できなくなれば、記憶した電流値Ｉｃｎをリセットするようにする。
【００６１】
ＵＳＢを利用した充電では、ＵＳＢホストから供給される電流が一定値ではないため、二次電池１９に電力を供給する際には、ＵＳＢホストから供給される電流値Ｉｃを検出し、その電流値Ｉｃによって充電するように制御する必要がある。本発明の第１実施形態の携帯電話では、上述した制御を行うことによって、ＵＳＢホストから供給される可変の電流値Ｉｃに対応することができる。
【００６２】
以上、本発明の第１実施形態の携帯電話によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐことができる。
【００６３】
また、本発明の実施の形態の携帯電話によれば、外部電源装置毎に設定された、二次電池に電力を供給すべき順位を定めた優先順位に応じて、その二次電池に電力を供給する外部電源装置を決定するため、最適な外部電源装置により二次電池を充電することができる。
【００６４】
なお、本発明の第１実施形態の携帯電話では、図３に示すようにＵＳＢを利用したＵＳＢ充電を禁止し、かつ優先順位を低く設定しているが、これに限るものではなく、任意に設定できるものである。
【００６５】
また、本発明の実施の形態の携帯電話は、ステップＳ４０４の処理で参照した外部電源装置１２ｎまたはＵＳＢホストの「充電の可否」が「可」である場合（ステップＳ４０５、ある）、その外部電源装置１２ｎまたはＵＳＢホストによって充電することを示すフラグを立てるよう記憶部１６に記憶しておき、そのフラグが立っている間（つまり、その外部電源装置１２ｎまたはＵＳＢホストによって充電している期間）、表示部２１に充電に利用している外部電源を表示するようにしてもよい。図７に、本発明の第１実施形態の携帯電話による、充電時に表示される表示例を示す。例えば、ＵＳＢホストからの電力によって二次電池１９を充電する場合、記憶部１６にＵＳＢホストによって充電することを示すフラグが立っていれば、図７（ａ）の本発明の第１実施形態の携帯電話による充電時に表示される表示例１や図７（ｂ）の本発明の第１実施形態の携帯電話による充電時に表示される表示例２に示すように、二次電池１９への充電が完了するまで、「ＵＳＢ充電中」との文言６１やＵＳＢによる充電中であることを示すマーク６２を表示する。一方、本発明の実施の形態の携帯電話は、外部電源装置１２ｎまたはＵＳＢホストを充電対象から外した場合、その外部電源装置１２ｎまたはＵＳＢホストが充電対象から外されたことを示すフラグを立てるよう記憶部１６に記憶しておき、別の外部電源装置１２ｎまたはＵＳＢホストによって二次電池１９を充電している間、表示部２１に充電に利用していない外部電源を表示するようにしてもよい。例えば、ＵＳＢホストからの電力による充電が禁止されている場合、記憶部１６にＵＳＢホストが充電対象から外されたことを示すフラグが立っていれば、図７（ｃ）の本発明の第１実施形態の携帯電話による充電時に表示される表示例３に示すように、外部電源装置１２ｎによる二次電池１９への充電が完了するまで、「ＵＳＢ充電はできません」との文言６３を表示する。この構成により、携帯電話利用者は、携帯電話をどの外部電源装置で充電しているか、あるいは充電していないかを確認することができる。
【００６６】
（第２実施形態）
本発明の第２実施形態の携帯電話では、第１実施形態における携帯電話の記憶部１６に記憶すべき充電用設定内容を、携帯電話利用者に設定させるためのユーザインタフェースの一例について説明する。図８に、本発明の第２実施形態の携帯電話のディスプレイに表示される表示例を示す。
【００６７】
携帯電話がコンピュータとＵＳＢ通信を行う場合、携帯電話には二つのモードが特に重要であると考えられる。一つは、携帯電話がコンピュータにとっての通信機として機能するモード（以下、通信モードと称する）、もう一つは携帯電話がコンピュータからみた場合の外部記憶装置として機能するというモード（以下、ｍｉｎｉＳＤモードと称する）、である。これまでの携帯電話においても、ＵＳＢケーブルを介してコンピュータに接続された場合に、この二つのモードのいずれか一方に自動的に切り替えるものがある。図８（ａ）には、従来の携帯電話によるＵＳＢ通信時のモード設定を促す表示例を示す。携帯電話１は、図８（ａ）に示すように、１．「通信モード」と２．「ｍｉｎｉＳＤモード」とを選択肢として表示し、入力部２２による操作によって１．あるいは２．のいずれかが選択されると、その選択されたモードに移行する。
【００６８】
本発明の第２実施形態の携帯電話は、図８（ｂ）の本発明の第２実施形態の携帯電話によるＵＳＢ通信時のモード設定を促す表示例１に示すように、１．「通信モード」と２．「ｍｉｎｉＳＤモード」の他に、３．「通信＋充電モード」と４．「ｍｉｎｉＳＤ＋充電モード」を選択肢として追加して表示し、入力部２２による操作によって３．が選択されると、図３に示す記憶部１６に記憶されたＵＳＢ端子の「充電の可否」が「可」に更新され、携帯電話がＵＳＢケーブルによってコンピュータに接続され通信機として機能する処理をコンピュータから要求されたときには、ＵＳＢホストからの電力供給を利用して二次電池１９は充電される。また、入力部２２による操作によって４．が選択されると、図３に示す記憶部１６に記憶されたＵＳＢ端子の「充電の可否」が「可」に更新され、携帯電話がＵＳＢケーブルによってコンピュータに接続され外部記憶装置として機能する処理をコンピュータから要求されたときには、ＵＳＢホストからの電力供給を利用して二次電池１９は充電される。また、図８（ｃ）の本発明の第２実施形態の携帯電話によるＵＳＢ通信時のモード設定を促す表示例２に示すように、選択肢「ＵＳＢ充電する」に対応して設けられたチェックボックス７１をチェックしておくと、携帯電話がＵＳＢケーブルによってコンピュータに接続され通信機として機能する処理をコンピュータから要求されたとき、および携帯電話がＵＳＢケーブルによってコンピュータに接続され外部記憶装置として機能する処理をコンピュータから要求されたとき、の両方のときに、記憶部１６に記憶されたＵＳＢ端子の「充電の可否」が「可」に更新される。
【００６９】
ところで、本発明の第２実施形態の携帯電話１は、図８（ｄ）の本発明の第２実施形態の携帯電話による外部電源装置の優先順位設定を促す表示例に示すように、各種外部電源装置毎に優先順位を表す数値の入力を促す画像を表示し、その入力された数値（あるいは、その数値に対応する順位）を記憶部１６に記憶された各端子毎の「優先順位」として更新する。優先順位を表す数値の入力方法には、数値を入力すべき欄７２に操作キーの０〜９のパネルを押下して入力する方法や、外部電源装置を表示した箇所にプルダウンメニュー７３を表示するように設定しておき、そのプルダウンメニュー７３から数値を選択して入力する方法などが考えられる。図８（ｄ）に示すように数値を入力すべき欄７２に数値が入力されない場合には、その外部電源装置は充電に利用しないものとして、記憶部１６に記憶されたその外部電源装置の「充電の可否」を「否」に更新するようにすれば、携帯電話利用者による充電用設定内容の入力操作をより簡素化することができる。
【００７０】
本発明の第２実施形態の携帯電話によれば、記憶部１６に記憶すべき充電用設定内容を、上述したユーザインタフェースによって利用者に設定させることによって、両者が簡単にその充電用設定内容を設定することができる。
【００７１】
なお、本発明の第１実施形態または２実施形態の携帯電話では、記憶部１６に記憶された充電用設定内容を参照して、制御部１５がスイッチ１７ｎの開閉を制御するように記載したが、電源検出部１３ｎの少なくとも１つが外部電源装置１２ｎまたはＵＳＢホストが外部端子１１ｎまたはＵＳＢ端子１２に接続されたことを検出するたびに、表示部２１に充電を許可するか否かの選択を促す画面を表示して、携帯電話利用者に選択させ、その選択された外部電源によって充電するように構成してもよい。この構成により、携帯電話利用者が充電するための外部電源として意図している外部電源装置１２ｎによって、確実に充電をすることができる。
【産業上の利用可能性】
【００７２】
本発明の電子機器および充電制御方法によれば、外部電源装置毎に設定された、当該携帯電話に備わる二次電池をその外部電源装置によって充電することを許可するか否かに応じて、その二次電池に電力を供給する外部電源装置を決定するため、二次電池を充電するために電力を供給することが携帯電話利用者に要求されていない外部電源装置によって、不要に電力が供給されることを防ぐという効果、また、外部電源装置毎に設定された、二次電池に電力を供給すべき順位を定めた優先順位に応じて、その二次電池に電力を供給する外部電源装置を決定するため、最適な外部電源装置により二次電池を充電するという効果を奏し、複数の外部電源装置からの電力供給が可能な電子機器の分野において有用である。
【図面の簡単な説明】
【００７３】
【図１】本発明の実施の形態の携帯電話による充電処理を説明する模式図
【図２】本発明の第１実施形態の携帯電話の機能ブロック図
【図３】本発明の第１実施形態における記憶部がデータとして記憶する充電用設定内容の概念図
【図４】本発明の第１実施形態の携帯電話における予備充電設定部の回路例の図
【図５】本発明の第１実施形態の携帯電話による外部電源装置の切替処理の流れを表すフローチャート
【図６】本発明の第１実施形態の携帯電話によるＵＳＢホストによる充電処理の流れを表すフローチャート
【図７】本発明の第１実施形態の携帯電話による、充電時に表示される表示例。図７（ａ）本発明の第１実施形態の携帯電話による充電時に表示される表示例１、図７（ｂ）本発明の第１実施形態の携帯電話による充電時に表示される表示例２、図７（ｃ）本発明の第１実施形態の携帯電話による充電時に表示される表示例３
【図８】本発明の第２実施形態の携帯電話のディスプレイに表示される表示例。図８（ａ）従来の携帯電話によるＵＳＢ通信時のモード設定を促す表示例、図８（ｂ）本発明の第２実施形態の携帯電話によるＵＳＢ通信時のモード設定を促す表示例１、図８（ｃ）本発明の第２実施形態の携帯電話によるＵＳＢ通信時のモード設定を促す表示例２、図８（ｄ）本発明の第２実施形態の携帯電話による外部電源装置の優先順位設定を促す表示例
【符号の説明】
【００７４】
１  携帯電話
２  ＡＣ充電用コネクタ
３  無接点充電台
４  デバイス側コネクタ
５  ホスト側コネクタ
１１１〜１１Ｎ  外部端子
１２  ＵＳＢ端子
１２１〜１２Ｎ  外部電源装置
１３０〜１３Ｎ  電源検出部
１４  ＵＳＢインタフェース部
１５  制御部
１６  記憶部
１７０〜１７Ｎ  スイッチ
１８  充電回路部
１９  二次電池
２０  予備充電設定部
２１  表示部
２２  入力部
２１０〜２１Ｎ  入力端子
２２０〜２２Ｎ  出力端子
２３１〜２３Ｎ  論理反転回路
２４１〜２４Ｎ  論理積回路
６１、６３  文言
６２  マーク
７１  チェックボックス
７２  数値を入力すべき欄
７３  プルダウンメニュー
【手続補正３】
【補正対象書類名】図面
【補正対象項目名】全図
【補正方法】変更
【補正の内容】
【図１】
2008044297.tif 000011
【図２】
2008044297.tif 000012
【図３】
2008044297.tif 000013
【図４】
2008044297.tif 000014
【図５】
2008044297.tif 000015
【図６】
2008044297.tif 000016
【図７】
2008044297.tif 000017
【図８】
2008044297.tif 000018
【国際調査報告】
2008044297.tif 000019
2008044297.tif 000020